(57)【要約】無線ネットワーク特性に基づく前方誤り訂正（ＦＥＣ）符号の選択が開示されている。この選択は、無線ネットワーク特性の変化に応じて第１のＦＥＣ符号から第２のＦＥＣ符号に変更することを容易にすることができる。この選択は、複数のユーザー機器（ＵＥ）のＵＥ用のＦＥＣ符号の選択を容易にすることができる。これらのＦＥＣ符号は、同じＦＥＣ符号とすることもできるし、異なるＦＥＣ符号とすることもでき、複数のＵＥ間で同時に用いることができる。選択されたＦＥＣ符号は、アップリンクチャネル及び／又はダウンリンクチャネルに適用することができる。一実施形態は、ＵＥロケーションに基づいてＦＥＣ符号を選択することができる。一実施形態は、別のデバイスへのＵＥの近接性に基づいてＦＥＣ符号を選択することができる。一実施形態は、チャネルの信号対雑音比に基づいてＦＥＣ符号を選択することができる。一実施形態は、ＵＥの能力に基づいてＦＥＣ符号を選択することができる。一実施形態は、ＦＥＣ符号選択モデルを求めることができる。【選択図】図３
2019536313.tif 000002
【特許請求の範囲】
【請求項１】
プロセッサと、
前記プロセッサによって実行されると、
無線ネットワークのネットワークデバイスの第１の特性を取得することと、
前記第１の特性に基づいて第１の前方誤り訂正符号を決定することと、
第１のユーザー機器と前記ネットワークデバイスの無線アクセスネットワークデバイスとの間の第１の通信に前記第１の前方誤り訂正符号を用いることと、
を含む動作の実行を容易にする実行可能命令を記憶するメモリと、
を備える、システム。
【請求項２】
前記第１の前方誤り訂正符号を前記用いることは、前記第１のユーザー機器と前記無線アクセスネットワークデバイスとの間で、前記第１の前方誤り訂正符号による前記第１の通信のデータ及び誤り訂正ビットを搬送する第１の通信チャネルを確立することを含む、請求項１に記載のシステム。
【請求項３】
前記第１の前方誤り訂正符号を前記用いることは、第１の前方誤り訂正符号による前記第１の通信の第１のデータ及び第１の誤り訂正ビットを搬送するように、前記第１のユーザー機器と前記無線アクセスネットワークデバイスとの間の第１の通信チャネルを適合させることを含み、該適合させる前は、前記第１の通信チャネルは、第２の前方誤り訂正符号による第２の通信の第２のデータ及び第２の誤り訂正ビットを搬送していた、請求項１に記載のシステム。
【請求項４】
前記動作は、
前記無線ネットワークの前記ネットワークデバイスの第２の特性を取得することと、
前記第２の特性に基づいて第２の前方誤り訂正符号を決定することと、
第２のユーザー機器と前記無線アクセスネットワークデバイスとの間の第２の通信に前記第２の前方誤り訂正符号を用いることと、
を更に含む、請求項１に記載のシステム。
【請求項５】
前記第１の前方誤り訂正符号及び前記第２の前方誤り訂正符号は、異なる前方誤り訂正符号であり、前記第１の前方誤り訂正符号を前記用いること及び前記第２の前方誤り訂正符号を前記用いることは同時に行われる、請求項４に記載のシステム。
【請求項６】
前記第１の通信はダウンリンク通信である、請求項１に記載のシステム。
【請求項７】
前記第１の通信はアップリンク通信である、請求項１に記載のシステム。
【請求項８】
前記第１の前方誤り訂正符号を前記決定することは、前記第１の特性の変化を特定することに基づいている、請求項１に記載のシステム。
【請求項９】
前記第１の特性の前記変化は、前記第１のユーザー機器のロケーションの変化を含む、請求項８に記載のシステム。
【請求項１０】
プロセッサを備えるシステムによって、無線ネットワークのネットワークデバイスの第１の特性を受信することと、
前記システムによって、前記第１の特性に基づいて第１の前方誤り訂正符号を決定することと、
前記システムによって、前記ネットワークデバイスのうちのｅＮｏｄｅＢデバイスに、第１のユーザー機器と該ｅＮｏｄｅＢデバイスとの間の第１の通信チャネルに前記第１の前方誤り訂正符号を適用するように命令することと、
を含む、方法。
【請求項１１】
前記システムによって、前記無線ネットワークの前記ネットワークデバイスの第２の特性を受信することと、
前記システムによって、前記第２の特性に基づいて第２の前方誤り訂正符号を決定することと、
前記システムによって、前記ｅＮｏｄｅＢデバイスに、第２のユーザー機器と該ｅＮｏｄｅＢデバイスとの間の第２の通信チャネルに前記第２の前方誤り訂正符号を適用するように命令することと、
を更に含む、請求項１０に記載の方法。
【請求項１２】
前記第１の前方誤り訂正符号及び前記第２の前方誤り訂正符号は異なる前方誤り訂正符号である、請求項１１に記載の方法。
【請求項１３】
前記ｅＮｏｄｅＢデバイスに、前記第１の前方誤り訂正符号を適用するように前記命令することは、前記第１の誤り訂正符号による誤り訂正ビットを搬送するように前記第１の通信チャネルをプロビジョニングすることを含む、請求項１０に記載の方法。
【請求項１４】
前記ｅＮｏｄｅＢデバイスに、前記第１の前方誤り訂正符号を適用するように前記命令することは、第２の誤り訂正符号から前記第１の前方誤り訂正符号による誤り訂正ビットを搬送するように前記第１の通信チャネルを変更することを含む、請求項１０に記載の方法。
【請求項１５】
前記第１の前方誤り訂正符号を前記決定することは、前記第１の特性の特定された変化に応じて行われる、請求項１０に記載の方法。
【請求項１６】
プロセッサによって実行されると、
無線ネットワークの第１の特性を求めることに応じて、該第１の特性に基づいて第１の前方誤り訂正符号を選択することと、
前記無線ネットワークの第１のユーザー機器と無線アクセスネットワークデバイスとの間の第１の通信チャネル上に、前記第１の前方誤り訂正符号による第１の誤り訂正ビットを含めることと、
を含む動作の実行を容易にする実行可能命令を含む、機械可読記憶媒体。
【請求項１７】
前記動作は、
前記無線ネットワークの第２の特性を求めることに応じて、該第２の特性に基づいて第２の前方誤り訂正符号を選択することと、
第２のユーザー機器と前記無線アクセスネットワークデバイスとの間の第２の通信チャネル上に、前記第２の前方誤り訂正符号による第１の誤り訂正ビットを含めることと、
を更に含む、請求項１６に記載の機械可読記憶媒体。
【請求項１８】
前記第１の前方誤り訂正符号は、前記第２の前方誤り訂正符号と異なる、請求項１７に記載の機械可読記憶媒体。
【請求項１９】
前記第１の前方誤り訂正符号による第１の誤り訂正ビットを前記含めることは、第２の前方誤り訂正符号による以前に含まれていた第２の誤り訂正ビットを用いることから、前記第１の前方誤り訂正符号による第１の誤り訂正ビットを含めることに変更することを含む、請求項１６に記載の機械可読記憶媒体。
【請求項２０】
前記第１の前方誤り訂正符号を前記選択することは、前記第１のユーザー機器が該第１の前方誤り訂正符号をサポートしているとの判断に基づいている、請求項１６に記載の機械可読記憶媒体。
【発明の詳細な説明】
【技術分野】
【０００１】
［関連出願の相互参照］
本出願は、「FORWARD ERROR CORRECTION CODE SELECTION IN WIRELESS SYSTEMS」と題する２０１６年１０月４日に出願された米国特許出願第１５／２８５４５３号に対する優先権を主張し、それの開示全体は、引用することにより本明細書の一部をなす。
【０００２】
開示された主題は、無線システムにおける前方誤り訂正符号の選択に関する。より具体的には、本開示は、従来の無線システム技術を上回る無線システム性能の改善を可能にする無線システムパラメーターに基づく無線システムにおける前方誤り訂正符号の選択に関する。
【背景技術】
【０００３】
簡潔な背景として、無線接続されるデバイスが持続的に増大することによって、無線周波数（ＲＦ）スペクトルのますます混み合った状況が生み出されている。従来の無線システムは、一般に、固定された前方誤り訂正（ＦＥＣ）符号方式を、モバイルデバイス（ＵＥ）と無線アクセスネットワーク（ＲＡＮ）デバイスとの間のデータの通信に採用している。ＦＥＣ符号は、よく知られており、無線システムにおいて長年用いられてきている。多くの従来の無線システムでは、特定のＦＥＣ符号が、ＵＥとＲＡＮデバイスとの間の通信に採用されている。一態様では、これによって、ＵＥは、再送信要求に頼ることなくＲＡＮデバイスから正しいデータを受信することが可能になる。幾つかのＦＥＣ符号は、通信チャネルの特性、例えば、ＵＥとＲＡＮデバイスとの間の距離、ＵＥとＲＡＮデバイスとの間の干渉、ＵＥとＲＡＮデバイスとの間の地理的地形（geographic topography：ジオグラフィックトポグラフィー）等に基づいて他のＦＥＣ符号よりも良好に機能することが一般に認められている。したがって、幾つかの状況では、従来の無線システムにおいて採用されたＦＥＣ符号は、状況に応じて、良好に動作することができる場合もあるし、良好に動作することができない場合もある。その結果、従来の無線システムにおける通信効率は影響を受ける可能性がある。一例として、ＵＥがｅＮｏｄｅＢデバイスの近傍にいる場合、低密度パリティ検査（ＬＤＰＣ）ＦＥＣ符号は、他のＦＥＣ符号よりも良好に動作することができる一方、ＵＥがｅＮｏｄｅＢから遠ざかるにつれて、ＬＤＰＣ  ＦＥＣ符号は、他のＦＥＣ符号よりも良好に動作することができない。ここで、ｅＮｏｄｅＢという用語は、ＮｏｄｅＢ、ｅＮｏｄｅＢ、アクセスポイント（ＡＰ）等を包含することができる。この性能の相違は、ＬＤＰＣ符号しか無線システムによって用いられていない場合に、無線ネットワークの効率を低下させる可能性がある。
【図面の簡単な説明】
【０００４】
【図１】本主題の開示の態様による、無線システムにおける前方誤り訂正符号選択を可能にすることができる一例示のシステムの説明図である。
【図２】本主題の開示の態様による、無線システムにおける複数のユーザー機器について別々の前方誤り訂正符号の選択を容易にすることができる一例示のシステムの説明図である。
【図３】本主題の開示の態様による、無線システムにおけるユーザー機器の前方誤り訂正符号の動的な再選択を容易にすることができる一例示のシステムの説明図である。
【図４】本主題の開示の態様による、無線システムにおける通信イベントの１つ以上の特性又はパラメーターに基づく前方誤り訂正符号選択を可能にすることができる一例示のシステムの説明図である。
【図５】本主題の開示の態様による、無線システムにおける前方誤り訂正符号選択を容易にする一例示の方法を示す図である。
【図６】本主題の開示の態様による、ユーザー機器の前方誤り訂正符号の応答再選択を容易にする一例示の方法を示す図である。
【図７】本主題の開示の態様による、無線システムにおける複数のユーザー機器によって同時使用される異なる前方誤り訂正符号の選択を容易にする一例示の方法を示す図である。
【図８】本主題の開示の態様による、前方誤り訂正符号を選択するための、無線システム特性に基づく前方誤り訂正符号選択モデルの使用を可能にする一例示の方法を示す図である。
【図９】開示された主題がインタラクトすることができるコンピューティング環境の一例示の概略ブロック図である。
【図１０】一実施形態による、開示されたシステム及び方法を実行するように動作可能なコンピューティングシステムの一例示のブロック図である。
【発明を実施するための形態】
【０００５】
本主題の開示は、ここで、図面を参照して述べられ、図面において、同様の参照符号は、全体を通して同様の要素を指すために使用される。以下の説明において、説明のために、多数の特定の詳細は、本主題の開示の完全な理解を提供するために述べられる。しかし、本主題の開示が、これらの特定の詳細なしで実施され得ることが明らかである場合がある。他の事例において、よく知られている構造及びデバイスは、本主題の開示を述べるのを容易にするためにブロック図の形態で示される。
【０００６】
ますます混み合うＲＦスペクトル及び一層高速で効率的な通信ネットワークの要求によって、無線システム、例えば、無線ネットワークキャリアシステム等の改良がより強く求められている。従来の無線システムは、一般に、無線システムのモバイルデバイス（ＵＥ）と無線アクセスネットワーク（ＲＡＮ）デバイスとの間のデータの通信用に固定された前方誤り訂正（ＦＥＣ）符号方式を指定している。様々なＦＥＣ符号がよく知られており、無線キャリアは、様々な企業目標に基づいて、それらの無線システムに用いられる種々のＦＥＣ符号を採用してきたが、これらの従来の無線システムは、通常、それらの無線システムによって提供されるカバレッジエリアの大部分において、採用されたＦＥＣ符号に依拠している。通常、無線システムは、ＲＡＮデバイスにアクセスする異なるユーザー機器の間に複数のＦＥＣ符号を同時に用いることもなければ、通信チャネルの状態が変化しても単一のＵＥのＦＥＣ符号を変更することもない。逆に、多くの従来の無線システムでは、特定のＦＥＣ符号が、ＵＥとＲＡＮデバイスとの間の通信に採用され、無線ネットワークの特性が変化しても、通信チャネルが変化しても、そのＦＥＣ符号が固守される。
【０００７】
ＦＥＣ符号は、一般に、送信データが正確であるとき、特に、データ送信が、送信データを劣化させる可能性がある信頼できない通信リンク又は雑音を有する通信リンクを介して行われたときをＵＥが判断することを可能にする。通常のＦＥＣ符号方式の下では、受信側ユーザー機器による欠陥データの検出、及び多くの場合に訂正を容易にする誤り訂正符号を有する幾つかの冗長なデータが送信される。これは、再送信を要求する必要なく行うことができ、したがって、ユーザー機器とデータ送信元送信機との間に逆方向チャネルを用いることなく誤り訂正を可能にすることができる。ＦＥＣ符号タイプは、低密度パリティ検査（ＬＤＰＣ）符号、ターボ符号、ポーラー符号（polar code）、アダマール符号、リード・マラー符号、ロング符号（long code）等を含むことができるが、これらに限定されるものではない。開示された主題は、ほぼいずれのＦＥＣ符号の選択及び使用も概ね容易にすることができ、本明細書において言及した特定のＦＥＣ符号に特に限定されるものではない。
【０００８】
無線システム特性は、どのＦＥＣ符号がその特性の所与の値に最も効果的に機能するのかを規定することができることが一般に認められている。一例として、デバイス間の距離、通信チャネル上の雑音又は干渉、無線ネットワークサービスエリア内の地理又は地形等は、無線システム事業者によって適用されるＦＥＣ符号化方式の性能にそれぞれ影響を与える可能性がある。幾つかの状況では、従来の無線システムにおいて採用された単一のＦＥＣ符号は、無線システムの特性、通信チャネル等が変化すると、性能変化に遭遇する可能性がある。その結果、従来の無線システムにおける通信効率は影響を受ける可能性がある。一例として、ＵＥがｅＮｏｄｅＢデバイスに近接している場合、ＬＤＰＣ符号は、他のＦＥＣ符号よりも良好に動作することができる一方、ＵＥがｅＮｏｄｅＢから遠ざかるにつれて、ＬＤＰＣ符号は、他のＦＥＣ符号よりも良好に動作することができない。この性能の相違は、ＬＤＰＣ符号しか無線システムによって用いられていない場合に、無線ネットワークの効率を低下させる可能性がある。別の例として、ｅＮｏｄｅＢが２つのＵＥをサポートしており、一方のＵＥがｅＮｏｄｅＢに近く、他方のＵＥがｅＮｏｄｅＢから離れている場合、ＬＤＰＣ符号のみの使用によって、近くのＵＥの性能は良好であるが、遠くのＵＥ性能は不十分となる可能性がある。その上、従来の単一のＦＥＣ符号の採用によって、採用されたＦＥＣ符号をサポートしていないＵＥのサポートが影響を受ける可能性がある。この結果、従来の無線システムは、「最小公分母」のＦＥＣ符号、例えば、最大量のカバレッジエリアにわたって許容可能な性能等を与えるＵＥチップセットによって最も広く使用可能なＦＥＣ符号を用いる可能性がある。たとえ、その特定のＦＥＣ符号の採用が、幾つかの通信チャネル又は幾つかのＵＥの性能をより低下させる結果となっても同じである。異なるＦＥＣ符号を異なるＵＥに並行して用いる（例えば、同時に、一斉に、異なるＦＥＣ符号を用いると、異なるＵＥ等の間で少なくとも多少の時間の重複が生じる）ことを可能にすることによって無線システムの性能を改善するために複数のＦＥＣ符号方式の使用を可能にすること、通信チャネルの変化に応じて異なるＦＥＣ符号の（正：of）動的な再選択を容易にすること、異なるＦＥＣ符号方式をサポートすることができる異なるＵＥをサポートすること等が一般に望ましい。
【０００９】
ＵＥとｅＮｏｄｅＢとの間の通信チャネルの通常のプロビジョニングでは、ビームフォーミングされることもあるしビームフォーミングされないこともあるパイロット信号又は基準信号をＵＥは受信することができる。ＵＥは、次に、チャネル推定値と、チャネル状態情報（ＣＳＩ）を報告するためのパラメーター（複数の場合もある）とを求めることができる。ＣＳＩ報告は、例えば、チャネル品質インジケーター情報（ＣＱＩ）、プリコーディング行列インデックス情報（ＰＭＩ）、ランク情報（ＲＩ）、サブバンドインデックスデータ、ビームインデックスデータ等を含むことができる。ＣＳＩ報告は、ｅＮｏｄｅＢに、例えばフィードバックチャネルを介して送信することができる。例えば、ＣＳＩ報告からのＣＳＩ情報に基づいて、ＵＥをｅＮｏｄｅＢに対してスケジューリングすることができる。ｅＮｏｄｅＢは、ダウンリンク制御チャネルにおいてスケジューリングパラメーターをＵＥに送信して、ｅＮｏｄｅＢとＵＥとの間のその後のデータの転送を容易にすることができる。一般に、ＣＱＩは、ＵＥへのＣＱＩインデックスの報告を容易にするために、ＣＳＩ報告内でテーブルにされている。一例として、ＣＱＩインデックスを含むＣＱＩテーブルは、以下のものとすることができる。
【００１０】
【表１】
2019536313.tif 000003
【００１１】
無線システム又は通信チャネルの特性に基づいてＣＱＩを更新することができる場合、ｅＮｏｄｅＢを介してＵＥをスケジューリングすることによって、ｅＮｏｄｅＢのサービス内での異なるＵＥ間における異なるＦＥＣ符号の選択、チャネル状態の変化に基づくＵＥのＦＥＣ符号の再選択、異なるＵＥの制限に関係したＦＥＣ符号の使用等を可能にすることができる。一態様では、ダウンリンク送信及び／又はアップリンク送信用にＦＥＣ符号及び対応するＣＱＩテーブルを構成することを行うことができる。別の態様では、ＣＱＩテーブル／データは、対応するＦＥＣ符号に応じて異なる符号レート粒度を含むことができる。一例として、ターボ符号ＦＥＣ符号化ＣＱＩテーブル／データは、低データレートに偏重することができるＬＤＰＣ  ＦＥＣ符号化ＣＱＩテーブル／データ（例えば、低データレートのＬＤＰＣインデックスよりも高データレートのＬＤＰＣインデックスの方が少ない）と比較して、高データレートに偏重したＣＱＩインデックスを含むことができる（例えば、低データレートのターボ符号インデックスよりも高データレートのターボ符号インデックスの方が多い）。
【００１２】
幾つかの実施形態では、各ＦＥＣ符号は、対応するＣＱＩテーブル／データを有することができるが、幾つかの実施形態では、単一のＣＱＩテーブル／データが、単一のＣＱＩテーブル／データ内に複数のＦＥＣ符号を表すことができる。したがって、実施形態が、１対１のＦＥＣ符号対ＣＱＩテーブル／データの関係を有する場合、通信チャネルのＦＥＣ符号が適合されるとき、通信チャネル上で送信されるデータを符号化するのに異なるＣＱＩテーブル／データを用いることができる。一方、ＣＱＩテーブル／データが複数のＦＥＣ符号を具現化する幾つかの実施形態では、単一のＣＱＩテーブル／データに表されたＦＥＣ符号の選択は、単一のＣＱＩテーブル／データから異なるＣＱＩテーブルインデックスを選択することによって、異なるＦＥＣ符号化間でのＵＥの切り替えを容易にすることができる。一例として、これらの実施形態によるＣＱＩテーブルは、同じテーブル／データにターボ符号エントリー及びＬＤＰＣエントリーの双方を有することができる。その上、ＣＱＩテーブル／データは、同じＣＱＩテーブル／データに複数のターボ符号ＦＥＣ符号レート及び／又は複数のＬＤＰＣ  ＦＥＣ符号レートを含むことができる。したがって、ＵＥは、その場合、例えば、ターボ符号ＦＥＣ符号レートと同じである可能性があるが、ロバスト性等の別の理由から、ＬＤＰＣ  ＦＥＣ符号レートがターボ符号ＦＥＣ符号レートよりも望ましい場合に、ＬＤＰＣ  ＦＥＣ符号レートを選択することができる。一態様では、開示された主題は、ＦＥＣ符号が、個別のＣＱＩテーブル／データを有することができる場合もあれば、ＦＥＣ符号が、組み合わされたＣＱＩテーブル／データで表される場合もあるように、これらの態様を組み合わせた実施形態を有することができる。一例として、ポーラーＦＥＣ符号は、個別のＣＱＩテーブルを有することができ、別のＣＱＩテーブル／データは、ＬＤＰＣ  ＦＥＣ符号エントリー及びターボ符号ＦＥＣ符号エントリーの双方を含むことができる。これらの実施形態の一拡張として、或るＣＱＩテーブル／データの重複が、幾つかの実施形態において生じる可能性があり、例えば、第１のターボ符号ＦＥＣ  ＣＱＩテーブル／データと、第２のＣＱＩテーブル／データにＬＤＰＣエントリー及びターボ符号エントリーを含む当該第２のＣＱＩテーブル／データとが存在することができ、ターボ符号ＦＥＣ符号の選択は、この第１のＣＱＩテーブル／データ又は第２のＣＱＩテーブル／データのいずれかを用いることができる。
【００１３】
異なるＦＥＣ符号方式の性能が、異なる符号レート及び／又は異なる変調方式について異なったものとなる可能性がある場合、全ての符号レート及び変調方式について単一のＦＥＣ符号を単に採用するのではなく、ＵＥが、選択されたＦＥＣ符号に従って、ダウンリンクチャネルによって受信されたデータを復号化することができるとともに、アップリンクデータチャネルのデータを符号化することができるように、ｅＮｏｄｅＢは、ＵＥのＦＥＣ符号を柔軟にスケジューリングすることができる。一実施形態では、所与の無線システム又は通信チャネル状態について選択されたＦＥＣ技法を用いることによって、リンクスループットを高めることができる。例えば、ターボ符号及びＬＤＰＣが、利用可能なＦＥＣ符号であり、対応するＣＱＩテーブルに定義されている場合、一例示のターボＣＱＩテーブルは、ターボ符号が低符号レート又はより低い変調においてより良好に動作することを考慮するために、低符号レート及び／又は低変調方式においてより多くのエントリーを定義することができる。同様に、一例示のＬＤＰＣ  ＣＱＩテーブルは、より高い変調及び／又はより高い符号レートについてより多くのエントリーを定義することができる。その上、別のＦＥＣ符号が利用可能である場合、更なるＣＱＩテーブルをそれに応じて定義することができる。
【００１４】
ｅＮｏｄｅＢは、無線システム又は通信チャネルの特性を用いて、ＵＥの適切なＦＥＣ符号及び対応するＣＱＩテーブル又は他のＣＱＩデータを決定することができる。例えば、性能基準を用いて、ＦＥＣ符号を選択することができ、対応するＣＱＩテーブルにアクセス又は対応するＣＱＩテーブルを確立することができる。ｅＮｏｄｅＢは、通信チャネル上のデータを復号化／符号化する選択されたＦＥＣ符号を用いてＵＥを構成又は再構成することができ、ＣＱＩテーブル又は他のＣＱＩデータは、ＵＥが、ＣＱＩを含むＣＳＩをネットワークノードに報告するのに用いることができる。無線システム又は通信チャネルの特性は、例えば、ＵＥが所与のＦＥＣ符号をサポートすることができるＵＥの能力、ＵＥのロケーション、ＵＥのジオメトリー（geometry）、干渉データ又は干渉体データ等を含むことができるが、これらに限定されるものではない。一例として、ＵＥは、１つのＦＥＣ符号しかサポートしていないことをシグナリングすることができ、ｅＮｏｄｅＢは、これに対応して、そのＦＥＣ符号を用いてＵＥを構成することができ、対応するＣＱＩテーブル又は対応する他のＣＱＩデータへのアクセスを可能にすることができる。別の例として、２つ以上のＦＥＣ符号をサポートすることができるＵＥは、それに応じてシグナリングすることができ、ｅＮｏｄｅＢが、第１の選択されたＦＥＣ符号及び対応するＣＱＩテーブル／データを用いてＵＥを構成することができるようにし、その後、無線システム及び／又は通信チャネルの関連した特性に基づいて、代替のＦＥＣ符号及び対応するＣＱＩテーブル／データを選択することができるようにする。例えば、ＦＥＣ符号及びＣＱＩテーブル／データは、変化する無線ネットワーク状態に応じて動的に変更することができる。
【００１５】
幾つかの実施形態では、ＦＥＣ符号選択を容易にするために、ＦＥＣ選択モデルを求めることができる。一態様では、ＦＥＣ選択モデルは、ＵＥの位置、ロケーション、及び／又はジオメトリーをｅＮｏｄｅＢに対して相関させ、好ましいＦＥＣ符号を示すことができる。一例として、ＵＥが特定のエリアにいることを報告すると、好ましいＦＥＣ符号を他の符号よりも高くランク付けすることができるように、ｅＮｏｄｅＢによってサービングされる地理的エリアの信号対雑音の履歴測定値をモデル化し、特定の地理的エリアについてより良好な性能を提供するＦＥＣ符号に相関させることができる。ＵＥが好ましい符号もサポートしている場合には、この好ましい符号をその後、用いることができ、ＵＥが好ましいＦＥＣ符号をサポートしていない場合には、後続のＦＥＣ符号を用いることができることに留意されたい。一態様では、モデルにおいて種々のロケーションのＦＥＣ符号をランク付けすることができ、例えば、１つ以上の他の特性に基づく選択を容易にするようにモデル化された任意の所与のロケーションのランク付けされたＦＥＣ符号グループをモデルによって提供することができる。したがって、ＵＥのロケーションデータを用いて、ＦＥＣ符号を選択することができる。一例として、ＵＥが、より高い変調に関連したｅＮｏｄｅＢの第１の近接地点にいるとき、ＵＥは、ＬＤＰＣ／ポーラー符号及び対応するＣＱＩテーブル／データを用いることができる。同様に、ＵＥが、より低い変調に関連した第２の近接地点、例えば、セルエッジに移動したとき、ｅＮｏｄｅＢは、ＵＥがＣＳＩを報告すると、ターボ符号及び対応するＣＱＩテーブル／データを用いるようにＵＥを構成することができる。幾つかの実施形態では、ｅＮｏｄｅＢは、無線リソース制御（ＲＲＣ）シグナリング又は媒体アクセス制御（ＭＡＣ）シグナリング等の上位レイヤシグナリングを用いて、ＦＥＣ符号選択情報をＵＥに通信することができる。
【００１６】
様々な技法を用いて、ＵＥのロケーション、位置、又はジオメトリーを求めることができる。その上、実際のロケーション／位置／ジオメトリーではなく、近接性の判断も用いて、ＦＥＣ符号を選択することができる。例えば、基準信号受信電力（ＲＳＲＰ）が閾値、例えば−１００ｄＢｍ等を越えている場合、ｅＮｏｄｅＢは、ＵＥが、例えばＬＤＰＣ符号に関連したエリア内、例えば、ＬＤＰＣがターボ符号等よりも良好に動作することができるセルエッジにいると推論することができる。同様に、ロケーション／位置／近接性ではなく、ジオメトリーを用いて、ＦＥＣ符号を選択することができる。一例として、低ジオメトリー（low geometries）、例えば、より低いＳＩＮＲでは、ＵＥは、ターボ符号等の、より低い変調に適応したＦＥＣ符号を用いるように命令を受けることができる一方、高ジオメトリー（high geometries）、例えば、より高いＳＩＮＲでは、ＵＥは、より高いデータレートを可能にするより高い変調に有利なＦＥＣ符号、例えば、ＬＤＰＣ／ポーラーを用いるように命令を受けることができる。その上、モデリングは、個々の特性及び／又は様々な特性の組み合わせを含むことができる。例えば、一例示のＦＥＣ選択モデルは、ロケーション、近接性、及びジオメトリーに基づくこともできるし、ロケーションのみ、近接性のみ、ジオメトリーのみに基づくこともできるし、ロケーション、近接性、ジオメトリーの選択を可能にする選択された特性等に基づくこともできる。本主題の開示は、前述の特性に限定されるものではなく、他の特性は、明瞭及び簡潔にするためにここでは開示されていないに過ぎないことに留意されたい。
【００１７】
上記で言明したように、ｅＮｏｄｅＢという用語は、別段の明示的な限定がない限り、一般に、ＵＥをサービングするか又はＵＥをサービングする別のネットワーク要素に接続された任意のネットワークノード、例えば、ＮｏｄｅＢ、基地局（ＢＳ）、マルチスタンダード無線機（ＭＳＲ）無線ノード、ｅＮｏｄｅＢ、ネットワークコントローラー、無線ネットワークコントローラー（ＲＮＣ）、基地局コントローラー（ＢＳＣ）、中継器、ドナーノード制御中継器、基地送受信機局（ＢＴＳ）、アクセスポイント（ＡＰ）、送信ポイント、送信ノード、リモート無線ユニット（ＲＲＵ）、リモート無線ヘッド（ＲＲＨ）、分散アンテナシステム（ＤＡＳ）内のノード等を包含するものと解釈されるべきである。同様に、ＵＥという用語は、明示的に限定されている場合を除き、モバイルフォン、スマートフォン、ラップトップコンピューター、タブレットコンピューター、ウェアラブルデバイス、モノのインターネット（ＩｏＴ）デバイス、又は無線システム、例えば、無線リンクを備える無線ネットワークキャリアを介して通信することができるほぼあらゆる他のデバイスを含むように広く解釈されるべきである。開示された主題は、ＲＡＴシステム又はマルチＲＡＴシステムを含むシングルキャリア、マルチキャリア、又はアグリゲートキャリア等の環境において動作可能である。
【００１８】
さらに、上記目的及び関連する目的の達成のために、開示される主題は、以下に十分に説明する１つ以上の特徴を備える。以下の説明及び添付図面は、本主題の幾つかの特定の例証的な態様を詳細に述べる。しかし、これらの態様は、本主題の原理が実施され得る種々の方法のほんの少数を示す。開示される主題の他の態様、利点、及び新規な特徴は、提供される図面と共に考えられると以下の詳細な説明から明らかになるであろう。
【００１９】
図１は、本主題の開示の態様による、無線システムにおける前方誤り訂正符号選択を容易にすることができるシステム１００の説明図である。システム１００は、ユーザー機器（ＵＥ）１１０を備えることができる。ＵＥ１１０は、携帯電話、スマートフォン、タブレットコンピューター、ラップトップコンピューター等のモバイルデバイスとすることができる。ＵＥ１１０は、無線アクセスネットワーク（ＲＡＮ）デバイス１８０に通信可能に結合することができる。ＲＡＮ１８０は、ＮｏｄｅＢ、ｅＮｏｄｅＢ、又はＮｏｄｅＢ／ｅＮｏｄｅＢの無線機若しくは送信機／受信機等、基地局、アクセスポイント（ＡＰ）、フェムトセル、ピコセル等を備えることができるか又はこれらに結合することができる。ＵＥ１１０は、無線リンクを介してＲＡＮデバイス１８０に対してデータ１９０を送信及び／又は受信することができる。データ１９０は、プロビジョニングデータ、例えば、ＵＥ１１０とＲＡＮデバイス１８０等のＲＡＮデバイスとの間の通信チャネルの確立又は維持に関係したデータ等と、通信データ、例えば、電話通話、インターネットアクセス、データベースクエリ等を表すデータとを含むことができる。一態様では、プロビジョニングデータは、ＦＥＣ選択情報を含むことができる。
【００２０】
ＲＡＮデバイス１８０は、ＦＥＣ符号選択構成要素１２０を介してＦＥＣ選択情報を受信することができる。幾つかの実施形態では、ＦＥＣ符号選択構成要素１２０は、ＲＡＮデバイス１８０に含めることができる。幾つかの実施形態では、ＦＥＣ符号選択構成要素１２０は、ＲＡＮデバイス１８０から遠隔にすることができ、例えば、別のデバイス、例えば、サーバー、ゲートウェイ、キャリアコアネットワーク構成要素等において実行される仮想構成要素に含めることができる。一態様では、ＦＥＣ符号選択構成要素１２０は、無線システム特性１０２を受信することができる。ＦＥＣ符号選択構成要素１２０は、無線システム特性１０２に基づいてＦＥＣ符号を選択することができる。一例として、無線システム特性１０２は、ＦＥＣ符号選択構成要素１２０がサービスエリア内のＵＥ１１０のロケーションに基づいてＦＥＣ符号を選択することができるように、ＲＡＮデバイス１８０に関連したサービスエリアを含むＦＥＣ選択モデルに含めることができる。これによって、ＵＥ１１０とＲＡＮデバイス１８０との間の通信チャネルを確立又は維持する際に選択されたＦＥＣ符号を用いて、固定されたＦＥＣ符号を用いることができる従来のシステムよりも良好に動作することができる方法でデータ１９０を通信することを容易にすることができる。一例として、ＵＥ１１０が、ＲＡＮデバイス１８０への通信チャネルリンクについて高い信号対雑音比を測定した場合、ターボ符号ＦＥＣ符号を選択して、ＬＤＰＣ  ＦＥＣ符号化を用いた場合に利用可能となり得るデータレートよりも高いデータレートを提供することができる。なお、この信号対雑音比は、無線システム特性１０２を介してＦＥＣ符号選択構成要素１２０に通信することができる。更なる例として、ＵＥが、ＲＡＮデバイス１８０への通信チャネルリンクについて低い信号対雑音比を測定した場合、ＦＥＣ符号選択構成要素１２０は、ＬＤＰＣ符号を指定することができ、これによって、ＲＡＮデバイス１８０は、ＬＤＰＣ符号化を選択して（正：select）、ターボ符号ＦＥＣ符号化から予想することができる性能よりもロバストな性能を提供することが可能になる。
【００２１】
一実施形態では、ＦＥＣ符号選択構成要素１２０は、利用可能なＦＥＣ符号をランク付けして、ＲＡＮデバイス１８０が好ましいＦＥＣ符号を選択することを容易にすることができる。一実施形態では、ＦＥＣ符号選択構成要素１２０は、無線システム特性１０２の変化に対応することができ、ランク付けの適合、異なるＦＥＣ符号の指定等を行うことができる。一例として、ＵＥ１１０がターボ符号ＦＥＣ符号化を用いてデータ１９０を通信しているが、トンネルに入り、それによって、雑音に対する利用可能な信号を減少させた場合、ＦＥＣ符号選択構成要素１２０は、この信号対雑音特性の変化を用いて、通信リンクがポーラーＦＥＣ符号化を用いるように適合されるべきであることを示すことができる。ここで、ポーラーＦＥＣ符号化は、雑音に対して信号が低い状態においてターボ符号化よりも良好に動作することができる。別の例において、ＵＥ１１０が、別のｅＮｏｄｅＢ等の干渉体デバイスに向けて移動していると判断された場合、この干渉体デバイスに関連したより高い推論エリア内では、第２のＦＥＣ符号が第１のＦＥＣ符号よりも良好に動作することができるという推論を行うことができ、これに対して、ＦＥＣ符号選択構成要素１２０は、第１のＦＥＣ符号から第２のＦＥＣ符号に切り替わるようにＲＡＮデバイス１８０に示すことができる。第３の例として、ＲＡＮデバイス１８０が自己編成型ネットワーク（ＳＯＮ）の一部であり、図示しない第２のＲＡＮデバイスが、ＳＯＮにおいてオンラインにされた場合、ＲＡＮデバイス１８０のカバレッジエリアは、第２のＲＡＮデバイスの追加に応答して変更することができる。カバレッジエリア内のこの変化は、ＦＥＣ符号選択構成要素１２０が無線システム特性１０２を介して受信することができ、その結果、第２のＦＥＣ符号が、変化したカバレッジエリアを考慮して、第１のＦＥＣ符号よりも良好に動作することができるか否かの判断が容易になる。第２の符号が、新たなカバレッジエリアの下でより良好に動作する可能性が高いと判断された場合、ＦＥＣ符号選択構成要素１２０は、ＲＡＮデバイス１８０に通信し、ＵＥ１１０とＲＡＮデバイス１８０との間のデータ１９０のＦＥＣ符号化を変更し、例えば、第２のＦＥＣ符号及び対応するＣＱＩテーブル／データを用いるようにＵＥ１１０に命令することができる。同様に、第２のＲＡＮデバイスがオフラインに移行した場合、その結果もたらされるＳＯＮ内のカバレッジエリアの変化によって、ＦＥＣ符号選択構成要素１２０は、第１のＦＥＣ符号が第２のＦＥＣ符号よりも良好に動作する可能性が高いと判断するものと断定することができ、それによって、ＲＡＮデバイス１８０は、ＵＥ１１０とＲＡＮデバイス１８０との間のデータ１９０のその後の通信に第１のＦＥＣ符号及び対応するＣＱＩテーブル／データを用いるようにＵＥ１１０に命令することができる。
【００２２】
図２は、本主題の開示の態様による、無線システムにおける複数のユーザー機器について別々の前方誤り訂正符号の選択を可能にすることができるシステム２００の説明図である。システム２００は、ＵＥ２１０及びＵＥ２１２を備えることができる。ＵＥ２１０及び／又は２１２は、携帯電話、スマートフォン、タブレットコンピューター、ラップトップコンピューター等のモバイルデバイスとすることができる。ＵＥ２１０及び２１２は、ＲＡＮデバイス２８０に通信可能に結合することができる。ＵＥ２１０は、ＲＡＮデバイス２９０に対して無線リンクを介してデータ２９０を送信及び／又は受信することができる。ＵＥ２１２は、ＲＡＮデバイス２９０に対して別の無線リンクを介してデータ２９２を送信及び／又は受信することができる。
【００２３】
ＲＡＮデバイス２８０は、ＦＥＣ符号選択構成要素２２０を介してＦＥＣ選択情報を受信することができる。幾つかの実施形態では、ＦＥＣ符号選択構成要素２２０は、ＲＡＮデバイス２８０に含めることができる。幾つかの実施形態では、ＦＥＣ符号選択構成要素２２０は、ＲＡＮデバイス２８０から遠隔にすることができる。一態様では、ＦＥＣ符号選択構成要素２２０は、無線システム特性２０２を受信することができる。ＦＥＣ符号選択構成要素２２０は、無線システム特性２０２に基づいてＦＥＣ符号を選択することができる。一例として、無線システム特性２０２は、ＵＥロケーションデータ、例えば、ＵＥ２１０及び２１２のロケーションデータを含む（正：comprise）ことができる。ＦＥＣ符号選択構成要素２２０は、ＵＥ２１０のロケーションに基づいてデータ２９０の符号化用のＦＥＣ符号を選択することができ、ＵＥ２１２のロケーションに基づいてデータ２９２の符号化用の別のＦＥＣ符号を選択することができる。これによって、データ２９０を通信するためにＵＥ２１０とＲＡＮデバイス２８０との間の第１の通信チャネルを確立又は維持する際の第１の選択されたＦＥＣ符号と、データ２９２を通信するためにＵＥ２１２とＲＡＮデバイス２８０との間の第２の通信チャネルを確立又は維持する際の第２の選択されたＦＥＣ符号とを用いることを容易にすることができる。一例として、ＵＥ２１０が、ＲＡＮデバイス２８０に関連した無線サービスエリアのエッジにいる場合、ＬＤＰＣ  ＦＥＣ符号を選択して、ターボ符号を用いた場合に利用可能であり得るデータレートよりも低いデータレートにおいてロバストなデータを提供することができる。更なる例として、ＵＥ２１２が、ＲＡＮデバイス２８０の近くにいると判断された場合、ＦＥＣ符号選択構成要素２２０は、ターボ符号ＦＥＣ符号を指定することができ、これによって、ＲＡＮデバイス２８０は、ターボ符号化を選択して（正：select）、ＬＤＰＣ  ＦＥＣ符号化から予想することができるデータレートよりも高いデータレートを提供することが可能になる。一態様では、ＦＥＣ符号選択構成要素２２０は、ＲＡＮデバイス２８０によってサービングされる１つ以上のＵＥ、例えば、ＵＥ２１０及び２１２のＦＥＣ符号選択を無線システム特性２０２に基づいて決定することができる。別の例では、ＵＥ２１０は、セルエッジにいる可能性がある一方、ＵＥ２１２は、ＲＡＮデバイス２８０の近くにいる可能性があるが、ＵＥ２１２が、ＲＡＮデバイス２８０の近くにいるにもかかわらず、雑音を有する環境にもいる場合、ＦＥＣ符号選択構成要素２２０は、データ２９０及びデータ２９２の双方の符号化においてＬＤＰＣ  ＦＥＣ符号化が用いられることを示すことができる。その上、ＵＥ２１０が、ＲＡＮデバイス２８０のより近くに移動したが、雑音を有するエリアに入っていない場合、ＦＥＣ符号選択構成要素２２０は、データ２９０のＦＥＣ符号化が、例えば、ＬＤＰＣからターボ符号に変更されることを示すことができる。ＵＥのロケーション、すなわち、高雑音のエリア、干渉体、地形、地理等の変化は全て、ＦＥＣ符号選択構成要素２２０が無線システム特性２０２を介して受信することができ、これによって、ＦＥＣ符号���択構成要素２２０は、無線システムの変化に対応し、ＲＡＮデバイス２８０によってサービングされるＵＥ、例えば、ＵＥ２１０及び２１２の間の通信チャネルのＦＥＣ符号化を適合させることによって対応することが可能になる。
【００２４】
一実施形態では、ＦＥＣ符号選択構成要素２２０は、利用可能なＦＥＣ符号をランク付けして、ＲＡＮデバイス２８０が、ＵＥ、例えば、ＵＥ２１０、２１２等との通信チャネルの好ましいＦＥＣ符号を選択することを容易にすることができる。一実施形態では、ＦＥＣ符号選択構成要素２２０は、無線システム特性２０２の変化に対応することができ、ランク付けの適合、異なるＦＥＣ符号の指定等を行うことができる。一態様では、ＵＥ、例えば、ＵＥ２１０、２１２等は、ＦＥＣ符号選択構成要素２２０によって上位にランク付けされたＦＥＣ符号のサポートを欠いている可能性がある。幾つかの実施形態では、ＦＥＣ符号選択構成要素２２０が、ランク又は好ましいＦＥＣ符号を別の方法で示すものにおけるＵＥがサポートするＦＥＣ符号を考慮することができるように、無線システム特性２０２は、サポートされたＦＥＣ符号を示すＵＥデータを含むことができる。幾つかの実施形態では、例えば、ＵＥがサポートするＦＥＣ符号の情報が無線システム特性２０２に含まれていない場合、ＦＥＣ符号選択構成要素２２０は、ＵＳがサポートするＦＥＣ符号を知らない可能性がある。これらの実施形態では、ランク付け又は別の方法で好ましいＦＥＣ符号を示すものは、ＵＥによってサポートされないＦＥＣ符号を含むことができる。したがって、ＲＡＮデバイス２８０は、幾つかの実施形態では、ＵＥによってサポートもされている最高ランクのＦＥＣ符号を選択することもできるし、幾つかの実施形態では、指定されたＦＥＣ符号をＵＥに示し、その後、サポートされたＦＥＣ符号に到達するまで、次の下位ランクのＦＥＣ符号を反復的に示すことによって、指定されたＦＥＣ符号がサポートされていないとのＵＥからの表示に対応することができる。
【００２５】
図３は、本主題の開示の態様による、無線システムにおけるＵＥの前方誤り訂正符号の動的な再選択を容易にすることができるシステム３００の説明図である。システム３００は、第１の時点におけるＵＥ（以下、ＵＥ３１０という）を備えることができる。このＵＥは、別のロケーションに移動することができ、第２の時点におけるＵＥ（以下、ＵＥ３１１という）として示される。ＵＥ３１０は、無線アクセスネットワーク（ＲＡＮ）デバイス３８０に通信可能に結合することができる。ＵＥ３１０は、ＲＡＮデバイス３８０に対して無線リンクを介して第１の時点におけるデータ（以下、データ３９０という）を送信及び／又は受信することができる。データ３９０は、プロビジョニングデータ、例えば、ＵＥ３１０とＲＡＮデバイス３８０等のＲＡＮデバイスとの間の通信チャネルの確立又は維持に関係したデータ等と、通信データ、例えば、電話通話、インターネットアクセス、データベースクエリ等を表すデータとを含むことができる。一態様では、プロビジョニングデータは、ＦＥＣ選択情報を含むことができる。ＵＥ３１０がＵＥ３１１に時間内に移動した場合、データ３９０は、第２の時点におけるデータ（以下、データ３９１という）となることができることが分かる。
【００２６】
ＲＡＮデバイス３８０は、ＦＥＣ符号選択構成要素３２０を介してＦＥＣ選択情報を受信することができる。幾つかの実施形態では、ＦＥＣ符号選択構成要素３２０は、ＲＡＮデバイス３８０のローカル又はＲＡＮデバイス３８０の遠隔にすることができる。一態様では、ＦＥＣ符号選択構成要素３２０は、無線システム特性３０２を受信することができる。ＦＥＣ符号選択構成要素３２０は、無線システム特性３０２に基づいてＦＥＣ符号を選択することができる。一例として、無線システム特性３０２は、ＲＡＮデバイス３８０に関連したカバレッジエリアのカバレッジエリア地形とすることができる。ＦＥＣ符号選択構成要素３２０は、サービスエリアにおけるＵＥ３１０のロケーションの地形に基づいてＦＥＣ符号を選択することができる。これによって、ＵＥ３１０とＲＡＮデバイス３８０との間の通信チャネルを確立又は維持する際に選択されたＦＥＣ符号を用いて、従来のシステムよりも良好に動作することができる方法でデータ３９０を通信することを容易にすることができる。ＵＥ３１０がＵＥ３１１に進展した場合、例えば、第１の時点における第１のロケーションから第２の時点における第２のロケーションに移動した場合、データ３９０はデータ３９１に進展することができる。データ３９１は、データ３９０とは異なる無線システムの特性、例えば、ＲＡＮデバイス３８０からの異なる距離、第２のロケーションにおける異なる地形等に遭遇する可能性がある。無線システムについてのこの特性情報は、無線システム特性３０２を介してＦＥＣ符号選択構成要素３２０に通信することができる。ＦＥＣ符号選択構成要素３２０は、データ３９０と比較してデータ３９１によって用いられるＦＥＣ符号化を更新することによって無線システム特性３０２の変化に対応することができる。
【００２７】
幾つかの実施形態では、ＦＥＣ符号選択構成要素３２０は、利用可能なＦＥＣ符号をランク付けして、ＲＡＮデバイス３８０が好ましいＦＥＣ符号を選択することを容易にすることができる。幾つかの実施形態では、ＦＥＣ符号選択構成要素３２０は、無線システム特性３０２の変化に対応することができ、ランク付けの適合、異なるＦＥＣ符号の指定等を行うことができる。一例として、ＵＥ３１０は、第１のロケーションにおけるＲＡＮデバイス３８０のサービスエリアの地形に基づいて、ターボ符号ＦＥＣ符号化を用いて（正：employ）データ３９０を通信することができる。ＵＥ３１０が移動し、例えば、ＵＥ３１０がＵＥ３１１になる結果、第２のロケーションにおけるサービスエリアの地形が異なる可能性がある。無線システムの地形特性のこの変化は、ＦＥＣ符号選択構成要素３２０によって用いられ、ＬＤＰＣ  ＦＥＣ符号化が、第２のロケーションの地形においてターボ符号化よりも良好に動作すると判断された場合には、通信リンクがＬＤＰＣ  ＦＥＣ符号化を用いるように適合されるべきであることを示すことができる。例えば、データ３９１は、ターボ符号を用いるデータ３９０から適合されたものとしてＬＤＰＣを用いることができる。
【００２８】
図４は、本主題の開示の態様による、無線システムにおける通信イベントの１つ以上の特性又はパラメーターに基づく前方誤り訂正符号選択を容易にすることができるシステム４００の説明図である。システム４００は、ＦＥＣ符号選択構成要素４２０を備えることができる。幾つかの実施形態では、このＦＥＣ符号選択構成要素は、ＦＥＣ符号選択構成要素１２０、２２０、３２０等と同じもの又は類似のものとすることができる。ＦＥＣ符号選択構成要素４２０は、ＦＥＣ符号選択情報４０４へのアクセスを可能にすることができる。ＦＥＣ符号選択情報４０４は、ＲＡＮデバイス、例えば、１８０、２８０、３８０等が、ＵＥ、例えば、ＵＥ１１０、２１０、２１２、３１０、３１１等との通信チャネルを確立又は維持する際に、選択されたＦＥＣ符号を用いるために用いることができる。一実施形態では、ＦＥＣ符号選択情報４０４は、無線システムの特性（複数の場合もある）、例えば、ロケーション、距離、近接性、地理、ジオメトリー、トポロジー、ＵＥの能力、ＦＥＣ選択モデル（複数の場合もある）等に基づいて好ましいＦＥＣ符号を識別する好ましいＦＥＣ符号の識別子を含むことができる。別の実施形態では、ＦＥＣ符号選択情報４０４は、ＲＡＮデバイスが、ランク付けされたＦＥＣ符号の順序に基づいてサポートされるＦＥＣ符号を選択することを可能にすることができる、例えば、最も好ましいＦＥＣ符号及び次に最も好ましいＦＥＣ符号を示すランク付けされた複数のＦＥＣ符号インジケーターを含むことができる。一例として、最も好ましいＦＥＣ符号がＵＥによってサポートされていない場合、次に好ましい符号を用いることができる。
【００２９】
ＦＥＣ符号選択構成要素４２０は、無線システム特性（複数の場合もある）を受信することができる。無線システム特性（複数の場合もある）は、ＵＥ識別データ４３０、ＵＥロケーションデータ４３２、ＵＥ能力情報４３４、ＲＡＮデバイス能力情報４３６、カバレッジエリア地形情報４４２、履歴ＦＥＣ性能データ４４４、ＦＥＣヒートマップ４４６等を含むことができるが、特にこれらに限定されるものではない。一態様では、ＵＥ識別データ４３０は、ＲＡＮデバイスによってサービングされるＵＥを識別することができる。ＵＥを識別することによって、ＦＥＣ符号選択構成要素４２０は、特定の識別されたＵＥの情報、例えば、使用中のＦＥＣ符号、履歴ＦＥＣ使用／性能等を関連付けることが可能になる。ＵＥロケーションデータ４３２は、ＲＡＮデバイスのサービスエリアにおけるＵＥのロケーションを示すことができる。一態様では、ＵＥロケーションデータ４３２は、サービスエリアにおけるＵＥのロケーション、近接性、距離、ジオメトリー等を含むことができる。したがって、ＵＥロケーションデータ４３２は、ＦＥＣ符号選択構成要素４２０が、ロケーション、距離、近接性、ジオメトリー等に基づいてＦＥＣ符号選択を決定することを容易にすることができる。
【００３０】
ＵＥ能力情報４３４及びＲＡＮデバイス能力情報４３６は、それぞれＵＥの能力に関する情報及びＲＡＮデバイスの能力に関する情報を含むことができる。ＵＥ又はＲＡＮデバイスの能力は、特定のＦＥＣ符号方式（正：scheme）のサポートに関係することができる。一例として、ＵＥ能力情報４３４は、ＬＤＰＣのみがＵＥによってサポートされていることを示すことができる一方、ＲＡＮデバイス能力情報４３６は、ＲＡＮデバイスがＬＤＰＣ、ポーラー符号、及びターボ符号をサポートしていることを示すことができる。ＵＥ能力情報４３４及びＲＡＮデバイス能力情報４３６に基づいて、ＦＥＣ符号選択構成要素４２０は、ＬＤＰＣのみがＵＥ及びＲＡＮデバイスの双方によってサポートされているので、ＬＤＰＣが選択されることを示すことができる。
【００３１】
カバレッジエリア地形情報４４２は、少なくともＲＡＮデバイスに関連した無線サービスエリアの一部分の地形上の特徴についての情報を含むことができる。幾つかの実施形態では、地形上の特徴は、ＦＥＣ符号の性能と相関させることができる。したがって、カバレッジエリア地形情報４４２は、ＦＥＣ符号選択構成要素４２０が、地形及びＦＥＣ符号の対応する性能に基づいて好ましいＦＥＣ符号又はＦＥＣ符号のランク付けを決定するのに用いることができる。一態様では、カバレッジエリア地形情報４４２は、ＦＥＣ符号（複数の場合もある）の地形上の性能モデルを生成するのに用いることもできるし（正：can be employed）、この情報自体がこのモデルを含むこともできる。このモデルは、ＦＥＣ符号選択構成要素４２０が、ＵＥとサービスＲＡＮデバイスとの間のサービスエリアの地形情報に基づいて好ましいＦＥＣ符号を指定することを可能にすることができる。
【００３２】
履歴ＦＥＣ性能データ４４４は、過去の通信チャネルのＦＥＣ性能情報を含むことができる。ＲＡＮデバイスの無線サービスエリアの特定の部分において時間とともに異なる（正：different）ＦＥＣ符号が用いられる場合、この履歴性能情報は、ＦＥＣ符号のランク付けにおいて用いることができる。一例として、新たなオフィスビルの建設に関連した特定のエリアの第１のＦＥＣ符号の性能が減少し続けていた場合、更なる建設によって、そのエリアでは、第１のＦＥＣ符号の性能が減少し続けることを予想することができ、したがって、第１のＦＥＣ符号のランク付けは、同様のレベルの性能劣化を同様に示していない他のＦＥＣ符号に対して下げることができる。幾つかの実施形態では、履歴ＦＥＣ性能データ４４４は、当該履歴性能データに関連したエリアのＦＥＣ符号のランク付けを適合させることを可能にすることができる。幾つかの実施形態では、履歴ＦＥＣ性能データ４４４は、性能変化を、当該履歴性能データに関連した識別可能な特徴と相関させて、同じ又は類似の識別可能な特徴を有する他のカバレッジエリアへの推定を可能にすることを容易にすることができる。一例として、雪の天候が、ニューヨークにおけるＦＥＣ符号化性能に悪影響を与えている場合、この情報を用いて、雪が降り出しそうになっているファーゴにおけるＦＥＴ符号化のランク付けを調整することができる。一態様では、履歴ＦＥＣ性能データ４４４は、ＦＥＣ選択モデル（複数の場合もある）に組み込むことができる。
【００３３】
ＦＥＣヒートマップ４４６は、ＲＡＮデバイスに関連したサービスエリアの一部分の好ましいＦＥＣ符号を示すヒートマップタイプ情報を含むことができる。これによって、サービスエリアのその部分内の所与のロケーションにおけるＵＥの好ましいＦＥＣ符号の選択を容易にすることができる。その上、幾つかの実施形態では、サービスエリアを通る予測されたＵＥ軌道は、ＵＥがその軌道に沿って移動するのに伴い、好ましいＦＥＣ符号化を適合させることを可能にすることができる。一例として、ＦＥＣヒートマップ４４６が、サンライズハイウェイ上の（正：on）カバレッジエリアサービスを包含する場合、サンライズハイウェイに沿って移動するＵＥは、そのエリアには他の道路がほとんどないので、サンライズハイウェイ上に居続けると予想することができる。したがって、ＦＥＣ符号選択構成要素４２０は、サンライズハイウェイに沿ったヒートマップタイプデータに基づいてＦＥＣ符号化に対する適合を予想して求めることができる。
【００３４】
幾つかの実施形態では、ＦＥＣ符号選択構成要素４２０は、ＵＥ識別データ４３０、ＵＥロケーションデータ４３２、ＵＥ能力情報４３４、ＲＡＮデバイス能力情報４３６、カバレッジエリア地形情報４４２、履歴ＦＥＣ性能データ４４４、ＦＥＣヒートマップ４４６を任意の組み合わせで含む開示された無線システム特性のうちの幾つかを用いることもできるし、いずれも用いないこともできるし、全てを用いることもできる。その上、幾つかの実施形態では、明瞭又は簡潔にするために本明細書に列挙していない他の無線システム特性も同様に、好ましいＦＥＣ符号又はＦＥＣ符号のランク付けを決定する際に用いることができる。
【００３５】
上記で説明した例示のシステム（複数の場合もある）を考慮すると、開示された主題に従って実施することができる例示の方法（複数の場合もある）は、図５〜図８におけるフローチャートを参照することでより良好に認識することができる。説明を簡単にするために、本明細書に開示された例示の方法は、一連の動作として提示及び説明される。ただし、特許請求される主題は、動作の順序によって限定されるものではないことが理解及び認識されるであろう。なぜならば、幾つかの動作は、本明細書に図示及び説明する順序と異なる順序で及び／又は他の動作と同時に行うことができるからである。例えば、本明細書に開示された１つ以上の例示の方法は、代替的に、状態図等に一連の相互に関係した状態又は事象として表すことができる。その上、本質的に異なるエンティティが、開示された主題による方法の本質的に異なる部分を実施するとき、相互作用図（複数の場合もある）が、これらの方法を表すことができる。さらに、本主題の明細書に従って説明される例示の方法を実施するために、示された全ての動作が必要とされるとは限らない。さらにまた、開示された例示の方法のうちの２つ以上を互いに組み合わせて実施し、本明細書に説明する１つ以上の態様を達成することができる。本主題の明細書全体を通して開示された例示の方法は、プロセッサによる実行、したがって、実施のために又はメモリへの記憶のためにそのような方法をコンピューターにトランスポート及び転送することを可能にするように、製造品（例えば、コンピューター可読媒体）に記憶することが可能であることが更に認識されるであろう。
【００３６】
図５は、本主題の開示の態様による、無線システムにおける前方誤り訂正符号選択を容易にする方法５００を示している。方法５００は、５１０において、無線システム特性（複数の場合もある）を受信することを含むことができる。無線システム特性は、無線ネットワーク又は通信チャネルに関する情報を含むことができる。無線システム特性は、その特性の所与の値について、どのＦＥＣ符号が最も効果的に機能するのかを示すことができる。例として、無線システム特性は、ＵＥデバイスとＲＡＮデバイスとの間の距離、通信チャネル上の雑音又は干渉、無線ネットワークサービスエリアにおける地理又は地形等とすることができる。一態様では、無線システム特性は、無線システム事業者によってＲＡＮデバイスを介して通信チャネルに適用されるＦＥＣ符号化方式の性能に影響を与える可能性がある。
【００３７】
５２０において、方法５００は、５１０において受信された無線システム特性（複数の場合もある）に基づいてＦＥＣ符号を選択することを含むことができる。選択されたＦＥＣ符号は、固定されたＦＥＣ符号を用いることができる従来のシステムよりも良好に動作することができるように通信チャネルを介してデータを通信するために、ＵＥとＲＡＮデバイスとの間の通信チャネルを確立又は維持する際に用いることができる。一実施形態では、選択されたＦＥＣ符号は、ランク順序付けられたＦＥＣ符号グループから選ぶことができる。ＦＥＣ符号のランク順序は、５１０において受信された所与の無線システム特性（複数の場合もある）の下で予想された又は求められた各ＦＥＣ符号の性能を反映することができる。
【００３８】
方法５００は、５３０において、無線システムのＵＥとＲＡＮデバイスとの間の通信に、５２０において選択されたＦＥＣ符号を用いることを含むことができる。この時点で、方法５００は終了することができる。一例として、ＵＥが、例えば、無線システム特性である通信チャネルの高い信号対雑音比を示している場合、５２０において、ターボ符号ＦＥＣ符号を選択し、５３０において、ＬＤＰＣ  ＦＥＣ符号化を用いた場合に利用可能であり得るデータレートよりも高いデータレートを提供することができる。更なる例として、ＵＥが、通信チャネルの低い信号対雑音比を測定した場合、５２０において、ＬＤＰＣ符号を選択することができ、５３０において、ターボ符号ＦＥＣ符号化から予想することができる性能よりもロバストな性能を提供するようにＬＤＰＣ符号を用いることができる。
【００３９】
一実施形態では、５１０において受信された無線システム特性（複数の場合もある）は、無線システムの一部分をサービングするＲＡＮデバイスに関連した１つ以上のＵＥに関係することができる。その上、５２０における選択は、１つ以上のＵＥのＦＥＣ符号を選択することを含むことができる。これによって、異なるＵＥが、５３０において、個々のＵＥに影響を与える無線システム特性（複数の場合もある）の特定の値に基づいて、異なるＦＥＣ符号を用いることを容易にすることができる。さらに、幾つかの実施形態では、無線システム特性（複数の場合もある）に対するその後の変更は、５３０において通信チャネルに用いられる選択されたＦＥＣ符号の対応する適合に関連付けることができる。例えば、無線システム特性（複数の場合もある）が徐々に変化するにつれて、１つ以上のＵＥのそれぞれについて用いられるＦＥＣ符号をそれに応じて適合させることができ、その結果、無線システム自体の性能を改善することができ、例えば、用いられるＦＥＣ符号を動的に適合させることができる。
【００４０】
図６は、本主題の開示の態様による、ユーザー機器の前方誤り訂正符号の応答再選択を容易にする方法６００を示している。方法６００は、６１０において、無線ネットワークのＵＥとＲＡＮデバイスとの間の通信チャネルの特性を求めることを含むことができる。通信チャネルの特性は、通信チャネル及びそのパラメーターが遭遇する（正：experienced）状態に鑑み、どのＦＥＣ符号が最も効果的に機能するのかを示すことができる。例として、通信チャネル特性は、十分高いデータスループットを維持するとともに、消費するキャリアリソースを十分少なくしながらデータ喪失を減少させる、ＦＥＣ符号化におけるロバスト性のレベルを示すことができる信号対雑音比とすることができる。この例示の信号対雑音比が高い場合には、高速ではあるが低ロバストのＦＥＣ符号化を選択することができる一方、これとは対照的に、信号対雑音比が低い場合には、他の低ロバストなＦＥＣ符号化よりも幾分低速であっても、高ロバストのＦＥＣ符号化を選択することができる。６２０において、方法６００は、６１０において求められた特性に基づいて第１のＦＥＣ符号を選択することを含むことができる。６３０において、選択されたＦＥＣ符号を、通信チャネルを介したＵＥとＲＡＮデバイスとの間の第１の通信に用いることができる。
【００４１】
６４０において、方法６００は、特性の変化を特定することを含むことができる。一例として、信号対雑音比は、干渉体デバイスがＵＥ又はＲＡＮデバイスに接近した場合に変化する可能性があり、この接近は、通信チャネルを十分劣化させ、その後に用いられるＦＥＣ符号の下でのデータ喪失の増加を引き起こす可能性がある。方法６００は、６４０において、この変化を特定することに応じて、変化した特性に基づいて第２のＦＥＣ符号を選択することを更に含むことができる。本例を続けると、信号対雑音比が低い環境においてより良好に動作することができる高ロバストのＦＥＣ符号を選択することができる。別の例では、信号対雑音レベルが改善した場合、例えば、干渉体がＵＥ又はＲＡＮデバイスから遠ざかった場合、この変化によって、より高い信号対雑音環境では、より高速のＦＥＣ符号のロバスト性で十分であるので、ロバスト性が低下する可能性があるが、より高速のＦＥＣ符号への選択応答を行うことができる。
【００４２】
６５０において、方法６００は、通信チャネルを介したＵＥとＲＡＮデバイスとの間の第２の通信に第２のＦＥＣを用いることを含むことができる。この時点で、方法６００は終了することができる。方法６００は、一態様では、従来の無線ネットワークシステムに用いられないＵＥとサービスＲＡＮデバイスとの間の通信チャネルの特性の変化に応じて、異なるＦＥＣ符号化方式を用いることによって通信チャネルを適合させることを示している。
【００４３】
図７は、本主題の開示の態様による、無線システムにおける複数のユーザー機器によって同時使用される異なる前方誤り訂正符号の選択を可能にする方法７００を示している。方法７００は、７１０において、無線ネットワークシステムの第１のＵＥとＲＡＮデバイスとの間の第１の通信チャネルの第１の特性を求めることを含むことができる。第１の通信チャネルの第１の特性は、第１の通信チャネルが遭遇する状態及び第１の通信チャネルのパラメーターに鑑み、どのＦＥＣ符号が最も効果的に機能するのかを示すことができる。
【００４４】
７２０において、方法７００は、無線ネットワークシステムの第２のＵＥとＲＡＮデバイスとの間の第２の通信チャネルの第２の特性を求めることを含むことができる。第２の通信チャネルの第２の特性は、第２の通信チャネルが遭遇する状態及び第２の通信チャネルのパラメーターに鑑み、どのＦＥＣ符号が最も効果的に機能するのかを示すことができる。
【００４５】
方法７００は、７３０において、７１０において求められた第１の特性に基づいて第１のＦＥＣ符号を選択することと、７２０において求められた第２の特性に基づいて第２のＦＥＣ符号を選択することとを含むことができる。一態様では、第１のＦＥＣ符号及び第２のＦＥＣ符号は、同じＦＥＣ符号とすることもできるし、異なるＦＥＣ符号とすることもできる。一実施形態では、第１のＦＥＣ符号及び第２のＦＥＣ符号が同じＦＥＣ符号である場合、これは、第１のＵＥ及び第２のＵＥが同じ又は類似の環境に存在する結果である可能性がある。例えば、第１のＵＥ及び第２のＵＥが、例えば、同じホテルの部屋に存在する場合、それらのＵＥは、ほぼ同一の無線システム特性を共有するものと予想することができ、当然のこととして、それらのＵＥは、デバイスごとに選択される同じＦＥＣ符号を有することができる。幾つかの実施形態では、第１のＦＥＣ符号及び第２のＦＥＣ符号が、同様に同じＦＥＣ符号である場合、これは、第１のＵＥ及び第２のＵＥが類似の環境に存在するが互いに近接していない結果である可能性がある。例えば、第１のＵＥが、セルの第１のエッジに存在し、第２のＵＥが、おそらく数マイル離れた同じセルの第２のエッジに存在する場合、これら２つの個々の無線環境は、それでも、非常に類似した無線システム特性を有することができ、その結果、各デバイスには同じＦＥＣ符号を選択することができる。加えて、幾つかの実施形態では、第１のＦＥＣ符号及び第２のＦＥＣ符号が、同様に同じＦＥＣ符号である場合、これは、第１のＵＥ及び第２のＵＥが、それぞれ同じＦＥＣ符号の選択をもたらす非類似の環境に存在する結果である可能性がある。例えば、第１のＵＥは、高い信号対雑音環境に存在するが、ＲＡＮデバイスから遠方である可能性があり、第２のＵＥは、低い信号対雑音環境に存在するが、ＲＡＮデバイスの近傍に位置している可能性があり、これによって、同じＦＥＣ符号が選択される可能性があるが、これは、異なる特性に基づいて行われている。幾つかの実施形態では、ＲＡＮデバイスと第１のＵＥ及び第２のＵＥとの間のＦＥＣ符号サポートが限られている結果、実質的に異なる特性にもかかわらず、同じＦＥＣ符号が選択される可能性もある。
【００４６】
７４０において、方法７００は、第１の通信チャネルを介した第１の通信には第１のＦＣ符号を、第２の通信チャネルを介した第２の通信には第２のＦＥＣ符号を同時に用いることを含むことができる。この時点で、方法７００は終了することができる。
【００４７】
図８は、本主題の開示の態様による、前方誤り訂正符号を選択するための無線システム特性に基づく前方誤り訂正符号選択モデルの使用を容易にする方法８００を示している。方法８００は、８１０において、無線システム特性を受信することを含むことができる。この無線システム特性は、無線システムの状態に基づいてどのＦＥＣ符号が通信に最も効果的に機能するのかを判断するのに用いることができる。
【００４８】
８２０において、方法８００は、上記特性に基づいてＦＥＣ符号選択モデルを求めることを含むことができる。ＦＥＣ符号選択モデリングは、個々の特性及び／又は様々な特性の組み合わせを含むことができる。例えば、一例示のＦＥＣ選択モデルは、ロケーション、近接性、及びジオメトリーに基づくこともできるし、ロケーションのみ、近接性のみ、ジオメトリーのみに基づくこともできるし、ロケーション、近接性、ジオメトリーの選択を可能にする選択された特性等に基づくこともできる。本主題の開示は、前述の特性に限定されるものではなく、他の特性は、明瞭及び簡潔にするためにここでは開示されていないに過ぎないことに留意されたい。
【００４９】
８３０において、無線システムのカバレッジエリアにおけるＵＥのロケーションを受信することができる。８４０において、方法８００は、無線システムにおけるＵＥのロケーション、例えば、ＲＡＮデバイスによってサービングされるカバレッジエリアにおけるＵＥのロケーションと、ＦＥＣ符号選択モデルとに基づいてＦＥＣ符号を選択することを含むことができる。一態様では、このモデルは、ＵＥのロケーションが与えられると、このモデルを用いて、ロケーションに関連したエリアにおいて良好に動作することができるＦＥＣ符号を選択することができるように、ＲＡＮデバイスによってサービングされるサービスエリアの複数の部分の好ましいＦＥＣ符号又はランク順序付けられたＦＥＣ符号グループを示すことができる。その上、幾つかの実施形態では、履歴ＦＥＣ符号性能をＦＥＣ符号選択モデルにおいて用いることができる。８５０において、方法８００は、通信チャネルを介したＵＥとＲＡＮデバイスとの間の第２の通信に第２のＦＥＣを用いることを含むことができる。この時点で、方法８００は終了することができる。
【００５０】
図９は、開示された主題がインタラクトすることができるコンピューティング環境９００の概略ブロック図である。システム９００は、１つ以上のリモート構成要素９１０を備える。リモート構成要素（複数の場合もある）９１０は、ハードウェア及び／又はソフトウェア（例えば、スレッド、プロセス、コンピューティングデバイス）とすることができる。幾つかの実施形態では、リモート構成要素（複数の場合もある）９１０は、サーバー、パーソナルサーバー、無線電気通信ネットワークデバイス、ＲＡＮデバイス（複数の場合もある）等を含むことができる。一例として、リモート構成要素（複数の場合もある）９１０は、ＦＥＣ符号選択構成要素１２０、２２０、３２０、４２０等、ＵＥ１１０、２１０、２１２、３１０、３１１等とすることができる。
【００５１】
システム９００は、１つ以上のローカル構成要素９２０も備える。ローカル構成要素（複数の場合もある）９２０は、ハードウェア及び／又はソフトウェア（例えば、スレッド、プロセス、コンピューティングデバイス）とすることができる。幾つかの実施形態では、ローカル構成要素（複数の場合もある）９２０は、例えば、ＲＡＮデバイス１８０、２８０、３８０等、ＦＥＣ符号選択構成要素１２０、２２０、３２０、４２０等を含むことができる。
【００５２】
リモート構成要素（複数の場合もある）９１０とローカル構成要素（複数の場合もある）９２０との間の１つの可能な通信は、２つ以上のコンピュータープロセスの間で送信されるように適合されたデータパケットの形態とすることができる。リモート構成要素（複数の場合もある）９１０とローカル構成要素（複数の場合もある）９２０との間の別の可能な通信は、２つ以上のコンピュータープロセスの間で無線タイムスロットにおいて送信されるように適合された回線交換データの形態とすることができる。システム９００は、リモート構成要素（複数の場合もある）９１０とローカル構成要素（複数の場合もある）９２０との間の通信を容易にするのに用いることができる通信フレームワーク９４０を備え、ロングタームロングタームエボリューション（ＬＴＥ）ネットワーク等を介したエアインターフェース、例えば、ＵＭＴＳネットワークのＵｕインターフェースを備えることができる。リモート構成要素（複数の場合もある）９１０は、通信フレームワーク９４０のリモート構成要素（複数の場合もある）９１０側に関する情報を記憶するのに用いることができるハードドライブ、固体ドライブ、ＳＩＭカード、デバイスメモリ等の１つ以上のリモートデータストア９５０に動作可能に接続することができる。同様に、ローカル構成要素（複数の場合もある）９２０は、通信フレームワーク９４０のローカル構成要素（複数の場合もある）９２０側に関する情報を記憶するのに用いることができる１つ以上のローカルデータストア９３０に動作可能に接続することができる。例として、無線システム特性１０２、２０２、３０２等、ＵＥ識別データ４３０、ＵＥロケーションデータ４３２、ＵＥ能力情報４３４、ＲＡＮデバイス能力情報４３６、カバレッジエリア地形情報４４２、履歴ＦＥＣ性能データ４４４、ＦＥＣヒートマップ４４６等、ＣＱＩテーブル／データ等は、リモート構成要素９１０のデータストア（複数の場合もある）９５０に記憶することができる。同様に、ＦＥＣ符号選択情報、ＣＱＩテーブル／データ等は、ローカル構成要素９２０のローカルデータストア（複数の場合もある）９３０に記憶することができる。
【００５３】
開示された主題の様々な態様の状況を提供するために、図１０及び以下の論述は、開示された主題の様々な態様を実施することができるのに適した環境の簡潔な一般的説明を提供することを意図している。本主題は、単数及び／又は複数のコンピューター上で動作するコンピュータープログラムのコンピューター実行可能命令の一般的な状況において上記で説明されているが、当業者であれば、開示された主題は、他のプログラムモジュールと組み合わせて実施することもできることを認識するであろう。一般に、プログラムモジュールは、特定のタスクを実行し及び／又は特定の抽象データタイプを実施するルーチン、プログラム、構成要素、データ構造体等を含む。
【００５４】
本明細書において、「ストア」、「記憶装置」、「データストア」、「データ記憶装置」、「データベース」、という用語、並びに構成要素の動作及び機能に関連する実質的に任意の他の情報記憶構成要素は、「メモリ構成要素」、「メモリ」において具現化されるエンティティ又はメモリを備える構成要素を指している。本明細書に説明するメモリ構成要素は、揮発性メモリ又は不揮発性メモリのいずれかとすることもできるし、揮発性メモリ及び不揮発性メモリの双方を含むこともでき、限定ではなく例示として、揮発性メモリ１０２０（以下参照）、不揮発性メモリ１０２２（以下参照）、ディスク記憶装置１０２４（以下参照）、及びメモリ記憶装置１０４６（以下参照）を含むことができることに留意されたい。さらに、不揮発性メモリには、リードオンリーメモリ、プログラマブルリードオンリーメモリ、電気的プログラマブルリードオンリーメモリ、電気的消去可能リードオンリーメモリ、又はフラッシュメモリを含めることができる。揮発性メモリは、外部キャッシュメモリとして機能するランダムアクセスメモリを含むことができる。限定ではなく例示として、ランダムアクセスメモリは、同期ランダムアクセスメモリ、ダイナミックランダムアクセスメモリ、同期ダイナミックランダムアクセスメモリ、ダブルデータレート同期ダイナミックランダムアクセスメモリ、拡張同期ダイナミックランダムアクセスメモリ、同期リンクダイナミックランダムアクセスメモリ、及びダイレクトラムバスランダムアクセスメモリ等の多くの形態で入手可能である。加えて、本明細書におけるシステム又は方法の開示されたメモリ構成要素は、限定するものではないが、これらのタイプのメモリ及び他の任意の適したタイプのメモリを含むことを意図している。
【００５５】
その上、開示された主題は、他のコンピューターシステム構成を用いて実施することができることに留意されたい。これらのコンピューターシステム構成には、シングルプロセッサコンピューターシステム又はマルチプロセッサコンピューターシステム、ミニコンピューティングデバイス、メインフレームコンピューターに加えて、パーソナルコンピューター、ハンドヘルドコンピューティングデバイス（例えば、パーソナルデジタルアシスタント、電話機、腕時計、タブレットコンピューター、ネットブックコンピューター、．．．）、マイクロプロセッサベースの電子機器又はプログラマブル民生用電子機器若しくはプログラマブル産業用電子機器等が含まれる。例示した態様は、タスクが、通信ネットワークを通じてリンクされたリモート処理デバイスによって実行される分散型コンピューティング環境においても実施することができる。ただし、本主題の開示の全てではないにしても幾つかの態様は、スタンドアローンコンピューター上で実施することができる。分散型コンピューティング環境では、プログラムモジュールは、ローカルメモリ記憶デバイス及びリモートメモリ記憶デバイスの双方に配置することができる。
【００５６】
図１０は、一実施形態による開示されたシステム及び方法を実行するように動作可能なコンピューティングシステム１０００のブロック図を示している。例えば、ＲＡＮデバイス１８０、２８０、３８０等、ＵＥ１１０、２１０、２１２、３１０、３１１等、ＦＥＣ符号選択構成要素１２０、２２０、３２０、４２０等とすることができるコンピューター１０１２は、処理ユニット９１４、システムメモリ１０１６、及びシステムバス１０１８を備える。システムバス１０１８は、これに限定されるものではないがシステムメモリ１０１６を含むシステム構成要素を処理ユニット１０１４に結合する。処理ユニット１０１４は、様々な入手可能プロセッサのうちの任意のものとすることができる。デュアルマイクロプロセッサ及び他のマルチプロセッサアーキテクチャも処理ユニット１０１４として用いることができる。
【００５７】
システムバス１０１８は、任意の様々な利用可能なバスアーキテクチャを用いたメモリバス若しくはメモリコントローラー、周辺バス若しくは外部バス、及び／又はローカルバスを含むバス構造（複数の場合もある）の幾つかのタイプのうちの任意のものとすることができる。バスアーキテクチャは、産業標準アーキテクチャ、マイクロチャネルアーキテクチャ、拡張産業標準アーキテクチャ、インテリジェントドライブエレクトロニクス、ビデオエレクトロニクススタンダーズアソシエーションローカルバス、周辺機器相互接続、カードバス、ユニバーサルシリアルバス、アドバンストグラフィックスポート、パーソナルコンピューターメモリカード国際協会バス、Ｆｉｒｅｗｉｒｅ（電気電子技術者協会１１１９４）、及びスモールコンピューターシステムインターフェースを含むが、これらに限定されるものではない。
【００５８】
システムメモリ１０１６は、揮発性メモリ１０２０及び不揮発性メモリ１０２２を備えることができる。起動中等にコンピューター１０１２内の要素間で情報を転送するルーチンを含む基本入出力システムは、不揮発性メモリ１０２２に記憶することができる。限定ではなく例示として、不揮発性メモリ１０２２は、リードオンリーメモリ、プログラマブルリードオンリーメモリ、電気的プログラマブルリードオンリーメモリ、電気的消去可能リードオンリーメモリ、又はフラッシュメモリを含むことができる。揮発性メモリ１０２０は、外部キャッシュメモリとして機能するリードオンリーメモリを含む。限定ではなく例示として、リードオンリーメモリは、同期ランダムアクセスメモリ、ダイナミックリードオンリーメモリ、同期ダイナミックリードオンリーメモリ、ダブルデータレート同期ダイナミックリードオンリーメモリ、拡張同期ダイナミックリードオンリーメモリ、同期リンクダイナミックリードオンリーメモリ、ラムバスダイレクトリードオンリーメモリ、ダイレクトラムバスダイナミックリードオンリーメモリ、及びラムバスダイナミックリードオンリーメモリ等の多くの形態で入手可能である。
【００５９】
コンピューター１０１２は、着脱可能／着脱不能の揮発性／不揮発性コンピューター記憶媒体も備えることができる。図１０は、例えば、ディスク記憶装置１０２４を示している。ディスク記憶装置１０２４は、磁気ディスクドライブ、フロッピーディスクドライブ、テープドライブ、フラッシュメモリカード、又はメモリスティックのようなデバイスを含むが、これらに限定されるものではない。加えて、ディスク記憶装置１０２４は、記憶媒体を単独で又は他の記憶媒体と組み合わせて含むことができる。他の記憶媒体は、コンパクトディスクリードオンリーメモリデバイス、コンパクトディスク記録可能ドライブ、コンパクトディスク再書き込み可能ドライブ又はデジタル多用途ディスクリードオンリーメモリ等の光ディスクドライブを含むが、これらに限定されるものではない。システムバス１０１８へのディスク記憶デバイス１０２４の接続を容易にするために、インターフェース１０２６等の着脱可能又は着脱不能のインターフェースが通常用いられる。
【００６０】
コンピューティングデバイスは通常、種々の媒体を含み、それらの媒体はコンピューター可読記憶媒体又は通信媒体を含むことができ、その２つの用語は、以下のように、本明細書において互いに異なるように使用される。
【００６１】
コンピューター可読記憶媒体は、コンピューターによってアクセスすることができる任意の入手可能な記憶媒体とすることができ、揮発性及び不揮発性媒体、着脱可能及び着脱不能媒体の両方を含む。例であって、限定はしないが、コンピューター可読記憶媒体は、コンピューター可読命令、プログラムモジュール、構造化データ又は非構造化データ等の情報を記憶するための任意の方法又は技術に関連して実現することができる。コンピューター可読記憶媒体は、リードオンリーメモリ、プログラマブルリードオンリーメモリ、電気的プログラマブルリードオンリーメモリ、電気的消去可能リードオンリーメモリ、フラッシュメモリ若しくは他のメモリ技術、コンパクトディスクリードオンリーメモリ、デジタル多用途ディスク若しくは他の光ディスク記憶装置、磁気カセット、磁気テープ、磁気ディスク記憶装置若しくは他の磁気記憶デバイス、又は所望の情報を記憶するのに用いることができる他の有形媒体を含むことができるが、これらに限定されるものではない。この点に関して、記憶装置、メモリ又はコンピューター可読媒体に適用することができる本明細書における「有形」という用語は、限定（modifier）として、伝播のみする無形の信号自体を除外するものと理解されるべきであり、伝播のみする無形の信号自体ではない全ての標準的な記憶装置、メモリ又はコンピューター可読媒体を含むことを放棄するものではない。一態様では、有形媒体は、非一時的媒体を含むことができ、記憶装置、メモリ又はコンピューター可読媒体に適用することができる本明細書における「非一時的」という用語は、限定として、伝播のみする一時的信号自体を除外するものと理解されるべきであり、伝播のみする一時的信号自体ではない全ての標準的な記憶装置、メモリ又はコンピューター可読媒体を含むことを放棄するものではない。コンピューター可読記憶媒体は、媒体によって記憶される情報に関する種々の動作のために、例えば、アクセス要求、問い合わせ又は他のデータ検索プロトコルを介して、１つ以上のローカル若しくはリモートコンピューティングデバイスによってアクセスすることができる。したがって、例えば、コンピューター可読媒体は、実行に応答して、無線システム特性に基づいてＦＥＣ符号を選択することを含む動作を、プロセッサを備えるシステムに実行させる、当該媒体上に記憶された実行可能命令を含むことができる。
【００６２】
通信媒体は通常、被変調データ信号、例えば、搬送波又は他の搬送機構等のデータ信号において、コンピューター可読命令、データ構造、プログラムモジュール又は他の構造化若しくは非構造化データを具現化し、任意の情報送達又は搬送媒体を含む（正：comprise）。「被変調データ信号」又は信号という用語は、１つ以上の信号内に情報を符号化するように設定又は変更される特性のうちの１つ以上を有する信号を指している。例であって、限定はしないが、通信媒体は、有線ネットワーク又は直結される接続等の有線媒体、及び音響、ＲＦ、赤外線及び他のワイヤレス媒体等のワイヤレス媒体を含む。
【００６３】
図１０は、ユーザーと、適した動作環境１０００において表されたコンピューターリソースとの間の仲介として機能するソフトウェアを表していることに留意することができる。そのようなソフトウェアは、オペレーティングシステム１０２８を含む。ディスク記憶装置１０２４に記憶することができるオペレーティングシステム１０２８は、コンピューターシステム１０１２のリソースを制御及び配分するように動作する。システムアプリケーション１０３０は、システムメモリ１０１６又はディスク記憶装置１０２４のいずれかに記憶されたプログラムモジュール１０３２及びプログラムデータ１０３４を通じて、オペレーティングシステム１０２８によるリソースの管理を利用する。開示された主題は、様々なオペレーティングシステム又はオペレーティングシステムの組み合わせとともに実施することができることに留意されたい。
【００６４】
ユーザーは、入力デバイス（複数の場合もある）１０３６を通じてコマンド又は情報をコンピューター１０１２内に入力することができる。幾つかの実施形態では、ユーザーインターフェースは、ユーザープリファレンス情報等の入力を可能にすることができ、ユーザーがコンピューター１０１２とインタラクトすることを可能にするタッチ感知ディスプレイパネル、グラフィカルユーザーインターフェース（ＧＵＩ）へのマウス／ポインター入力部、コマンドライン制御インターフェース等において具現化することができる。入力デバイス１０３６は、マウス、トラックボール、スタイラス等のポインティングデバイス、タッチパッド、キーボード、マイク、ジョイスティック、ゲームパッド、サテライトディッシュ、スキャナー、ＴＶチューナーカード、デジタルカメラ、デジタルビデオカメラ、ウェブカメラ、携帯電話、スマートフォン、タブレットコンピューター等を含むが、これらに限定されるものではない。これらの入力デバイス及び他の入力デバイスは、インターフェースポート（複数の場合もある）１０３８を経由してシステムバス１０１８を通って処理ユニット１０１４に接続する。インターフェースポート（複数の場合もある）１０３８は、例えば、無線サービス等に関連したシリアルポート、パラレルポート、ゲームポート、ユニバーサルシリアルバス、赤外線ポート、Ｂｌｕｅｔｏｏｔｈポート、ＩＰポート、又は論理ポートを含む。出力デバイス（複数の場合もある）１０４０は、入力デバイス（複数の場合もある）１０３６と同じタイプのポートのうちの幾つかを用いる。
【００６５】
したがって、例えば、ユニバーサルシリアルバスポートは、コンピューター１０１２への入力を提供するとともに、コンピューター１０１２からの情報を出力デバイス１０４０に出力するのに用いることができる。出力デバイス１０４０の中でもとりわけ特殊なアダプターを用いるモニター、スピーカー、及びプリンターのような幾つかの出力デバイス１０４０が存在することを示すために、出力アダプター１０４２が設けられる。出力アダプター１０４２は、限定ではなく例示として、出力デバイス１０４０とシステムバス１０１８との間の接続手段を提供するビデオカード及びサウンドカードを含む。他のデバイス及び／又はデバイスのシステムは、リモートコンピューター（複数の場合もある）１０４４等の入力及び出力の双方の能力を提供することに留意されたい。
【００６６】
コンピューター１０１２は、リモートコンピューター（複数の場合もある）１０４４等の１つ以上のリモートコンピューターへの論理接続を用いてネットワーク接続環境において動作することができる。リモートコンピューター（複数の場合もある）１０４４は、パーソナルコンピューター、サーバー、ルーター、ネットワークＰＣ、クラウド記憶装置、クラウドサービス、クラウドコンピューティング環境において実行されるコード、ワークステーション、マイクロプロセッサベース器具、ピアデバイス、又は他の一般的なネットワークノード等とすることができ、通常、コンピューター１０１２に関して説明した要素の多く又は全てを備える。クラウドコンピューティング環境、クラウド、又は他の類似の用語は、処理リソース及びデータを１つ以上のコンピューター及び／又は他のデバイスと必要に応じて共有して、容易にプロビジョニング及び解放することができる構成可能なコンピューティングリソースの共有プールへのアクセスを可能にすることができるコンピューティングを指すことができる。クラウドコンピューティング及び記憶の解決策は、規模の経済を利用することができるサードパーティーのデータセンターにおけるデータの記憶及び／又は処理とすることができ、クラウドサービスを介したコンピューティングリソースへのアクセスを、電気エネルギーにアクセスするために電気事業への加入、電話サービスにアクセスするために電気事業への加入等と同様にみなすことができる。
【００６７】
簡略にするために、メモリ記憶デバイス１０４６のみがリモートコンピューター（複数の場合もある）１０４４とともに示されている。リモートコンピューター（複数の場合もある）１０４４は、ネットワークインターフェース１０４８を通じてコンピューター１０１２に論理的に接続され、さらに、通信接続１０５０を経由して物理的に接続される。ネットワークインターフェース１０４８は、ローカルエリアネットワーク及びワイドエリアネットワーク等の有線通信ネットワーク及び／又は無線通信ネットワークを包含する。ローカルエリアネットワーク技術は、ファイバー分散データインターフェース、銅分散データインターフェース、イーサネット、トークンリング等を含む。ワイドエリアネットワーク技術は、ポイントツーポイントリンク、サービス統合デジタルネットワーク及びそれらの変形形態のような回線交換ネットワーク、パケット交換ネットワーク、並びにデジタル加入者線を含むが、これらに限定されるものではない。以下で言及するように、無線技術は、上記のものに加えて又は上記のものに代えて用いることができる。
【００６８】
通信接続（複数の場合もある）１０５０は、ネットワークインターフェース１０４８をバス１０１８に接続するのに用いられるハードウェア／ソフトウェアを指す。通信接続１０５０は、説明を明瞭にするためにコンピューター１０１２の内部に示されているが、コンピューター１０１２の外部にすることもできる。ネットワークインターフェース１０４８への接続用のハードウェア／ソフトウェアは、例えば、正規電話グレードモデム、ケーブルモデム及びデジタル加入者線モデムを含むモデム、サービス統合デジタルネットワークアダプター、並びにイーサネットカード等の内部技術及び外部技術を含むことができる。
【００６９】
要約書において記述されることを含む、本開示の例示される実施形態の上記の記述は、網羅的に述べることを意図するものではなく、開示される実施形態を開示されるのと全く同じ形態に限定することを意図するものでもない。例示のために、本明細書において具体的な実施形態及び例が記述されるが、当業者が認識できるような、そのような実施形態及び例の範囲内で考えられる種々の変更が可能である。
【００７０】
この関連で、開示される主題は種々の実施形態及び対応する図に関連して記述されてきたが、適用可能な場合には、開示される主題から逸脱することなく、他の類似の実施形態を用いることができるか、又は開示される主題の同じ機能、類似の機能、代替機能又は代用機能を実行するために記述される実施形態に対して変更を加えること及び追加することができることは理解されたい。それゆえ、開示される主題は、本明細書において記述される任意の単一の実施形態に限定されるべきではなく、以下に添付の特許請求の範囲による広さ及び範囲内で解釈されるべきである。
【００７１】
本主題の明細書に用いられるような「プロセッサ」という用語は、シングルコアプロセッサ、ソフトウェアマルチスレッド実行能力を有するシングルプロセッサ、マルチコアプロセッサ、ソフトウェアマルチスレッド実行能力を有するマルチコアプロセッサ、ハードウェアマルチスレッド技術を有するマルチコアプロセッサ、パラレルプラットフォーム、及び分散共有メモリを有するパラレルプラットフォームを含むがこれらに限定されない、実質的に任意のコンピューティング処理ユニット又はデバイスを指すことができる。加えて、プロセッサは、本明細書に説明した機能を実行するように設計された集積回路、特定用途向け集積回路、デジタル信号プロセッサ、フィールドプログラマブルゲートアレイ、プログラマブルロジックコントローラー、コンプレックスプログラマブルロジックデバイス、離散ゲート若しくはトランジスタロジック、離散ハードウェア構成要素、又はそれらの任意の組み合わせを指すことができる。プロセッサは、空間利用の最適化又はユーザー機器の性能向上を図るために、分子及び量子ドットに基づくトランジスタ、スイッチ及びゲート等であるがこれらに限定されないナノスケールアーキテクチャを利用することができる。プロセッサは、コンピューティング処理ユニットの組み合わせとしても実施することができる。
【００７２】
本出願に用いられるような「構成要素」、「システム」、「プラットフォーム」、「レイヤ」、「セレクター」、「インターフェース」等の用語は、１つ以上の特定の機能を有するコンピューター関連エンティティ又は作動装置に関連したエンティティを指すように意図され、このエンティティは、ハードウェア、ハードウェア及びソフトウェアの組み合わせ、ソフトウェア、又は実行中のソフトウェアのいずれかとすることができる。一例として、構成要素は、プロセッサ上で実行されるプロセス、プロセッサ、オブジェクト、実行ファイル、実行スレッド、プログラム、及び／又はコンピューターであり得るが、それに限定されない。例証として、限定はしないが、サーバー上で実行されるアプリケーション及びサーバーの双方が構成要素であり得る。１つ以上の構成要素は、プロセス及び／又は実行スレッド内に常駐し得、構成要素は、１つのコンピューター上に位置し得る及び／又は２つ以上のコンピューターの間に分散し得る。加えて、これらの構成要素は、種々のデータ構造がその上に記憶されている種々のコンピューター可読媒体からも実行され得る。構成要素は、１つ以上のデータパケット（例えば、ローカルシステム内で、分散システム内で、及び／又は、信号による他のシステムに関するインターネット等のネットワークにわたって別の構成要素と相互作用する１つの構成要素からのデータ）を含む信号に従って等で、ローカル及び／又はリモートプロセスを介して通信し得る。別の例として、構成要素は、プロセッサによって実行されるソフトウェア又はファームウェアアプリケーションによって動作する電気又は電子回路要素によって動作する機械部品によって提供される特定の機能を有する装置であり得る。ここで、プロセッサは、装置の内部又は外部にある可能性があり、ソフトウェア又はファームウェアアプリケーションの少なくとも一部を実行する。なお別の例として、構成要素は、機械部品なしで電子構成要素を通して特定の機能を提供する装置であり得る。その電子構成要素は、電子構成要素の機能を少なくとも部分的に与えるソフトウェア又はファームウェアを実行するために内部にプロセッサを備え得る。
【００７３】
加えて、「又は」という用語は、排他的な「又は」ではなく、包含的な「又は」を意味することを意図している。すなわち、別段の指示がない限り、又は文脈において明らかでない限り、「ＸがＡ又はＢを利用する」は、自然な包含的置換のいずれかを意味することを意図している。すなわち、ＸがＡを利用する、ＸがＢを利用する、又はＸがＡ及びＢの両方を利用する場合には、上記の事例のうちのいずれのもとにおいても、「Ｘが、Ａ又はＢを利用する」が満たされる。さらに、本主題の明細書及び添付の図面において用いられる冠詞「一（"a" and "an"）」は、一般に、別段の指示がない限り又は単数形を対象とすることが文脈から明らかでない限り、「１つ以上」を意味すると解釈されるべきである。
【００７４】
さらに、「含む／備える（include）」という用語は、クローズド用語又は排除的用語ではなくオープン用語又は包括的用語として用いられるように意図されている。「含む／備える」という用語は、「備える／含む（comprising）」という用語と置き換えることができ、別の用法で用いられていることが明らかでない限り、類似の範囲を有するものとして扱われるべきである。一例として、「りんごを含むフルーツバスケット」は、「りんごを備えるフルーツバスケット」と同じ範囲の幅を有するものとして扱われるべきである。
【００７５】
その上、「ユーザー機器（ＵＥ）」、「モバイル局」、「モバイル加入者局」、「加入者機器」、「アクセス端末」、「端末」、「ハンドセット」のような用語及び類似の術語は、無線通信サービスの加入者又はユーザーが、データ、制御、音声、ビデオ、サウンド、ゲーミング、又は実質的に任意のデータストリーム若しくはシグナリングストリームを受信又は伝達するのに利用する無線デバイスを指す。上記用語は、本主題の明細書及び関連図面において交換可能に利用される。同様に、「アクセスポイント」、「基地局」、「ＮｏｄｅＢ」、「進化型ＮｏｄｅＢ」、「ｅＮｏｄｅＢ」、「ホームＮｏｄｅＢ」、「ホームアクセスポイント」等の用語も、本主題の出願において交換可能に利用され、データ、制御、音声、ビデオ、サウンド、ゲーミング、又は実質的に任意のデータストリーム若しくはシグナリングストリームを一組の加入者局又はプロバイダー対応デバイスへ／から供給／受信する無線ネットワーク構成要素又は無線ネットワーク器具を指す。データストリーム及びシグナリングストリームは、パケット化されたフロー又はフレームベースのフローを含むことができる。データ又は信号情報の交換は、多入力多出力（ＭＩＭＯ）無線（複数の場合もある）、ロングタームエボリューション（ＬＴＥ）、ＬＴＥ時分割二重（ＴＤＤ）、モバイル通信用グローバルシステム（ＧＳＭ）、ＧＳＭ  ＥＤＧＥ無線アクセスネットワーク（ＧＥＲＡＮ）、ＷｉＦｉ、ＷＬＡＮ、ＷｉＭａｘ、ＣＤＭＡ２０００、ＬＴＥ新無線アクセス技術（ＬＴＥ−ＮＸ）、マッシブＭＩＭＯシステム等の技術を含むことができる。
【００７６】
加えて、「コアネットワーク」、「コア」、「コアキャリアネットワーク」、「キャリア側」という用語又は類似の用語は、通常、アグリゲーション、認証、呼制御及びスイッチング、課金、サービス呼び出し、又はゲートウェイのうちの幾つか又は全てを提供する電気通信ネットワークの構成要素を指すことができる。アグリゲーションは、サービスプロバイダーネットワークにおける最高レベルのアグリゲーションを指すことができる。コアノード下の階層における次のレベルは、分散ネットワークと、次にエッジネットワークである。ＵＥは、通常、大規模サービスプロバイダーのコアネットワークに直接接続せず、スイッチ又は無線アクセスネットワークを経由してコアにルーティングすることができる。認証は、電気通信ネットワークにサービスを要求するユーザーがこのネットワーク内でサービスを要求する権限を有するか否かに関する判断を指すことができる。呼制御及びスイッチングは、呼信号処理に基づく、キャリア機器全体にわたる呼ストリームの今後の進路に関連した決定を指す（正：refer to）ことができる。課金は、様々なネットワークノードによって生成される課金データの照合及び処理に関するものとすることができる。今日のネットワークに見られる２つの一般的なタイプの課金メカニズムは、プリペイド課金及びポストペイド課金とすることができる。サービス呼び出しは、或る明示的な動作（例えば、呼転送）に基づいて行うこともできるし、暗黙的（例えば、呼待機）に行うこともできる。サービス「実行」は、サードパーティーネットワーク／ノードが実際のサービス実行に関与している場合があるので、コアネットワーク機能である場合もあるし、ない場合もあることに留意されたい。ゲートウェイは、他のネットワークにアクセスするためにコアネットワークに存在することができる。ゲートウェイ機能は、別のネットワークとのインターフェースのタイプに依存することができる。
【００７７】
さらに、用語「ユーザー」、「加入者」、「顧客（customer）」、「消費者（consumer）」、「生産消費者（prosumer）」、「代理業者（agent）」等は、コンテキストが用語の間で特定の区別（複数の場合もある）を保証しない限り、本主題の明細書全体を通して交換可能に使用される。こうした用語が、人間エンティティ、又は、シミュレートされたビジョン、音認識等を提供し得る自動化構成要素（例えば、複雑な数学公式（complex mathematical formalisms）に基づいて推論する能力を通すように、人工知能を通してサポートされる）を指し得ることが理解されるべきである。
【００７８】
本主題の態様、特徴、又は利点は、実質的に任意又は任意の有線電気通信、放送電気通信、無線電気通信、電波通信の技術若しくはネットワーク、又はそれらの組み合わせにおいて利用することができる。そのような技術又はネットワークの非限定的な例は、放送技術（例えば、サブヘルツ放送、極低周波数放送、超低周波数放送、低周波数放送、中周波数放送、高周波数放送、超高周波数放送、極高周波数放送、極超高周波数放送、テラヘルツ放送等）；イーサネット；Ｘ．２５；電力線タイプネットワーキング、例えば、電力線オーディオビデオイーサネット等；フェムトセル技術；Ｗｉ−Ｆｉ；マイクロ波アクセスのための世界的相互運用性；拡張汎用パケット無線サービス；第３世代パートナーシッププロジェクトのロングタームエボリューション；第３世代パートナーシッププロジェクトのユニバーサルモバイル電気通信システム；第３世代パートナーシッププロジェクト２のウルトラモバイルブロードバンド；高速パケットアクセス；高速ダウンリンクパケットアクセス；高速アップリンクパケットアクセス；モバイル通信進化型無線アクセスネットワーク用グローバルシステムの拡張データレート；ユニバーサルモバイル電気通信システム地上無線アクセスネットワーク；又はロングタームエボリューションアドバンストを含む。
【００７９】
「推論する」又は「推論」という用語は、一般に、イベント及び／又はデータを介して捕捉された一組の観測値からシステム、環境、ユーザー、及び／又は意図について推理するプロセス、又は、それらの状態を推論するプロセスを指すことができる。捕捉されたデータ及びイベントは、ユーザーデータ、デバイスデータ、環境データ、センサーからのデータ、センサーデータ、アプリケーションデータ、暗黙的なデータ、明示的なデータ等を含むことができる。推論は、例えば、特定の状況又は動作を識別するのに用いることもできるし、データ及びイベントの検討に基づいて、対象となる状態に関する確率分布を生成することもできる。推論は、一組のイベント及び／又はデータからより高いレベルのイベントを構成するのに用いられる技法も指すことができる。そのような推論は、イベントを、幾つかの場合には、時間的に近接して相関させることができるか否かを問わず、また、イベント及びデータが１つ又は幾つかのイベント源及びデータ源からのものであるか否かを問わず、一組の観測されたイベント及び／又は記憶されたイベントデータからの新たなイベント又は動作の構築をもたらす。様々な分類方式及び／又は分類システム（例えば、サポートベクターマシン、ニューラルネットワーク、エキスパートシステム、ベイジアン信念ネットワーク、ファジー論理、及びデータ融合エンジン）を、開示された主題と関連した自動的な及び／又は推論された動作の実行とともに用いることができる。
【００８０】
上記で説明したものは、開示された主題を例示するシステム及び方法の例を含む。当然のことながら、本明細書における構成要素又は方法のあらゆる組み合わせを説明することは可能でない。当業者であれば、特許請求される主題の多くの更なる組み合わせ及び並べ替えが可能であることを認識することができる。さらに、「含む／備える（includes）」、「有する（has）」、「保有する（possesses）」等の用語が詳細な説明、特許請求の範囲、附属書類及び図面において用いられる限りにおいて、そのような用語は、用語「備える／含む（comprising）」が特許請求の範囲において移行語（transitional word）として用いられるときに解釈されるように、用語「備える／含む（comprising）」と同様に包括的であることが意図されている。
【図１】
2019536313.tif 000004
【図２】
2019536313.tif 000005
【図３】
2019536313.tif 000006
【図４】
2019536313.tif 000007
【図５】
2019536313.tif 000008
【図６】
2019536313.tif 000009
【図７】
2019536313.tif 000010
【図８】
2019536313.tif 000011
【図９】
2019536313.tif 000012
【図１０】
2019536313.tif 000013
【国際調査報告】
2019536313.tif 000014
2019536313.tif 000015
2019536313.tif 000016